(57)【要約】  【課題】ユーザがイライラすることなく利用することができる情報処理装置を提供すること  【解決手段】第１情報処理装置（３１）が起動してから、第１情報処理装置（３１）の第１表示データが表示装置（２）に表示されるまでの起動時間よりも、第２情報処理装置（３２）が起動してから、第２情報処理装置（３２）の第２表示データが表示装置（２）に表示されるまでの起動時間は、長い場合がある。ユーザが操作装置（３）の起動スイッチ部の第１スイッチを操作したとき、ユーザが第１スイッチを操作してから、第２情報処理装置（３２）が利用可能になるまで、第１表示データが表示装置（２）に表示される。このように、ユーザは、第２情報処理装置（３２）が利用可能になるまで第１情報処理装置（３１）を利用することができるため（例示；テレビの視聴）、イライラすることなく、本発明の情報処理装置を利用することができる。  【選択図】図３
2005142687.tif 000002
【特許請求の範囲】
【請求項１】
第１情報処理装置と、
第２情報処理装置と、
前記第１情報処理装置と前記第２情報処理装置により共有される表示装置と、
起動制御部と、
前記第１情報処理装置と前記第２情報処理装置により共有される表示制御部と、
起動スイッチ部とを具備し、
前記第１情報処理装置と前記第２情報処理装置との両方が起動されていないときに、ユーザにより前記起動スイッチ部のうちの第１スイッチが操作された場合、前記起動制御部は、前記第１情報処理装置と前記第２情報処理装置とを起動し、前記第１情報処理装置の表示データである第１表示データを前記表示装置に表示するための第１表示指示を前記表示制御部に出力し、
前記表示制御部は、前記第１表示指示に応じて、前記第１表示データが表示されるように前記表示装置を制御する
情報処理装置。
【請求項２】
請求項１に記載の情報処理装置において、
前記第１情報処理装置と前記第２情報処理装置との両方が起動されていないときに、ユーザにより前記起動スイッチ部のうちの第２スイッチが操作された場合、前記起動制御部は、前記第１情報処理装置を起動し、前記第１表示指示を前記表示制御部に出力し、
前記表示制御部は、前記第１表示指示に応じて、前記第１表示データが表示されるように前記表示装置を制御し、
前記第１情報処理装置と前記第２情報処理装置との両方が起動していないときに、ユーザにより前記起動スイッチ部のうちの第３スイッチが操作された場合、前記起動制御部は、前記第２情報処理装置を起動し、前記第２情報処理装置の表示データである第２表示データを前記表示装置に表示するための第２表示指示を前記表示制御部に出力し、
前記表示制御部は、前記第２表示指示に応じて、前記第２表示データが表示されるように前記表示装置を制御する
情報処理装置。
【請求項３】
請求項２に記載の情報処理装置において、
前記第１情報処理装置と前記第２情報処理装置とのうちの前記第２情報処理装置が起動されていて、前記第２表示データが前記表示装置に表示されているときに、ユーザにより前記第２スイッチが操作された場合、前記起動制御部は、前記第１情報処理装置を更に起動し、前記第２表示指示に代えて前記第１表示指示を前記表示制御部に出力する
情報処理装置。
【請求項４】
請求項２に記載の情報処理装置において、
前記第１情報処理装置と前記第２情報処理装置とのうちの前記第２情報処理装置が起動されていて、前記第２表示データが前記表示装置に表示されているときに、ユーザにより前記第１スイッチ又は前記第３スイッチが操作された場合、前記起動制御部は、前記第２情報処理装置の起動を終了し、前記表示制御部への前記第２表示指示の出力を終了する
情報処理装置。
【請求項５】
請求項２に記載の情報処理装置において、
前記第１情報処理装置と前記第２情報処理装置とのうちの前記第２情報処理装置が起動されていて、前記第２表示データが前記表示装置に表示されているときに、ユーザにより前記起動スイッチ部のうちの第４スイッチが操作された場合、前記起動制御部は、前記第１情報処理装置を更に起動し、前記第１表示データと前記第２表示データとを含む第３表示データを前記表示装置に表示するための第３表示指示を前記表示制御部に出力し、
前記第３表示データは、前記表示装置に表示される前記第２表示データ上に前記第１表示データを表示するための表示データであり、前記第２表示データ上の前記第１表示データの表示領域は、前記第２表示データの表示領域よりも小さく、
前記表示制御部は、前記第３表示指示に応じて、前記第３表示データが表示されるように前記表示装置を制御する
情報処理装置。
【請求項６】
請求項２に記載の情報処理装置において、
前記第１情報処理装置と前記第２情報処理装置とのうちの前記第１情報処理装置が起動されていて、前記第１表示データが前記表示装置に表示されているときに、ユーザにより前記第３スイッチが操作された場合、前記起動制御部は、前記第２情報処理装置を更に起動し、前記第１表示指示に代えて前記第２表示指示を前記表示制御部に出力する
情報処理装置。
【請求項７】
請求項２に記載の情報処理装置において、
前記第１情報処理装置と前記第２情報処理装置とのうちの前記第１情報処理装置が起動されていて、前記第１表示データが前記表示装置に表示されているときに、ユーザにより前記第１スイッチ又は前記第２スイッチが操作された場合、前記起動制御部は、前記第１情報処理装置の起動を終了し、前記表示制御部への前記第１表示指示の出力を終了する
情報処理装置。
【請求項８】
請求項５に記載の情報処理装置において、
前記第１情報処理装置と前記第２情報処理装置とのうちの前記第１情報処理装置が起動されていて、前記第１表示データが前記表示装置に表示されているときに、ユーザにより前記第４スイッチが操作された場合、前記起動制御部は、前記第２情報処理装置を更に起動し、前記第１表示データと前記第２表示データとを含む第４表示データを前記表示装置に表示するための第４表示指示を前記表示制御部に出力し、
前記第４表示データは、前記表示装置に表示される前記第１表示データ上に前記第２表示データを表示するための表示データであり、前記第１表示データ上の前記第２表示データの表示領域は、前記第１表示データの表示領域よりも小さく、
前記表示制御部は、前記第４表示指示に応じて、前記第４表示データが表示されるように前記表示装置を制御する
情報処理装置。
【請求項９】
請求項２に記載の情報処理装置において、
前記第１情報処理装置と前記第２情報処理装置とが起動されていて、前記第２表示データが前記表示装置に表示されているときに、ユーザにより前記第３スイッチが操作された場合、前記起動制御部は、前記第２情報処理装置の起動を終了し、前記第２表示指示に代えて前記第１表示指示を前記表示制御部に出力する
情報処理装置。
【請求項１０】
請求項２に記載の情報処理装置において、
前記第１情報処理装置と前記第２情報処理装置とが起動されていて、前記第２表示データが前記表示装置に表示されているときに、ユーザにより前記第２スイッチが操作された場合、前記起動制御部は、前記第２表示指示に代えて前記第１表示指示を前記表示制御部に出力する
情報処理装置。
【請求項１１】
請求項２に記載の情報処理装置において、
前記第１情報処理装置と前記第２情報処理装置とが起動されていて、前記第２表示データが前記表示装置に表示されているときに、ユーザにより前記第１スイッチが操作された場合、前記起動制御部は、前記第１情報処理装置と前記第２情報処理装置との起動を終了し、前記表示制御部への前記第１表示指示の出力を終了する
情報処理装置。
【請求項１２】
請求項５に記載の情報処理装置において、
前記第１情報処理装置と前記第２情報処理装置とが起動されていて、前記第２表示データが前記表示装置に表示されているときに、ユーザにより前記第４スイッチが操作された場合、前記起動制御部は、前記第２表示指示に代えて前記第３表示指示を前記表示制御部に出力する
情報処理装置。
【請求項１３】
請求項２に記載の情報処理装置において、
前記第１情報処理装置と前記第２情報処理装置とが起動されていて、前記第１表示データが前記表示装置に表示されているときに、ユーザにより前記第３スイッチが操作された場合、前記起動制御部は、前記第１表示指示に代えて前記第２表示指示を前記表示制御部に出力する
情報処理装置。
【請求項１４】
請求項２に記載の情報処理装置において、
前記第１情報処理装置と前記第２情報処理装置とが起動されていて、前記第１表示データが前記表示装置に表示されているときに、ユーザにより前記第２スイッチが操作された場合、前記起動制御部は、前記第１情報処理装置の起動を終了し、前記第１表示指示に代えて前記第２表示指示を前記表示制御部に出力する
情報処理装置。
【請求項１５】
請求項２に記載の情報処理装置において、
前記第１情報処理装置と前記第２情報処理装置とが起動されていて、前記第１表示データが前記表示装置に表示されているときに、ユーザにより前記第１スイッチが操作された場合、前記起動制御部は、前記第１情報処理装置と前記第２情報処理装置との起動を終了し、前記表示制御部への前記第１表示指示の出力を終了する
情報処理装置。
【請求項１６】
請求項８に記載の情報処理装置において、
前記第１情報処理装置と前記第２情報処理装置とが起動されていて、前記第１表示データが前記表示装置に表示されているときに、ユーザにより前記第４スイッチが操作された場合、前記起動制御部は、前記第１表示指示に代えて前記第４表示指示を前記表示制御部に出力する
情報処理装置。
【請求項１７】
請求項５に記載の情報処理装置において、
前記第１情報処理装置と前記第２情報処理装置とが起動されていて、前記第３表示データが前記表示装置に表示されているときに、ユーザにより前記第３スイッチが操作された場合、前記起動制御部は、前記第３表示指示に代えて前記第２表示指示を前記表示制御部に出力する
情報処理装置。
【請求項１８】
請求項５に記載の情報処理装置において、
前記第１情報処理装置と前記第２情報処理装置とが起動されていて、前記第３表示データが前記表示装置に表示されているときに、ユーザにより前記第２スイッチが操作された場合、前記起動制御部は、前記第３表示指示に代えて前記第１表示指示を前記表示制御部に出力する
情報処理装置。
【請求項１９】
請求項５に記載の情報処理装置において、
前記第１情報処理装置と前記第２情報処理装置とが起動されていて、前記第３表示データが前記表示装置に表示されているときに、ユーザにより前記第１スイッチが操作された場合、前記起動制御部は、前記第１情報処理装置と前記第２情報処理装置との起動を終了し、前記表示制御部への前記第３表示指示の出力を終了する
情報処理装置。
【請求項２０】
請求項５に記載の情報処理装置において、
前記第１情報処理装置と前記第２情報処理装置とが起動されていて、前記第３表示データが前記表示装置に表示されているときに、ユーザにより前記第４スイッチが操作された場合、前記起動制御部は、前記第３表示指示に代えて前記第１表示指示を前記表示制御部に出力する
情報処理装置。
【請求項２１】
請求項８に記載の情報処理装置において、
前記第１情報処理装置と前記第２情報処理装置とが起動されていて、前記第４表示データが前記表示装置に表示されているときに、ユーザにより前記第３スイッチが操作された場合、前記起動制御部は、前記第４表示指示に代えて前記第２表示指示を前記表示制御部に出力する
情報処理装置。
【請求項２２】
請求項８に記載の情報処理装置において、
前記第１情報処理装置と前記第２情報処理装置とが起動されていて、前記第４表示データが前記表示装置に表示されているときに、ユーザにより前記第２スイッチが操作された場合、前記起動制御部は、前記第４表示指示に代えて前記第１表示指示を前記表示制御部に出力する
情報処理装置。
【請求項２３】
請求項８に記載の情報処理装置において、
前記第１情報処理装置と前記第２情報処理装置とが起動されていて、前記第４表示データが前記表示装置に表示されているときに、ユーザにより前記第１スイッチが操作された場合、前記起動制御部は、前記第１情報処理装置と前記第２情報処理装置との起動を終了し、前記表示制御部への前記第４表示指示の出力を終了する
情報処理装置。
【請求項２４】
請求項８に記載の情報処理装置において、
前記第１情報処理装置と前記第２情報処理装置とが起動されていて、前記第４表示データが前記表示装置に表示されているときに、ユーザにより前記第４スイッチが操作された場合、前記起動制御部は、前記第４表示指示に代えて前記第２表示指示を前記表示制御部に出力する
情報処理装置。
【請求項２５】
請求項２に記載の情報処理装置において、
前記第１情報処理装置と前記第２情報処理装置との両方が起動されてなく、ユーザにより前記起動スイッチ部が操作されていないときに、前記第２情報処理装置を起動するための起動イベントが発生した場合、前記起動制御部は、前記第２情報処理装置を起動し、前記第２表示指示を前記表示制御部に出力する
情報処理装置。
【請求項２６】
請求項２に記載の情報処理装置において、
前記第１情報処理装置と前記第２情報処理装置とのうちの前記第１情報処理装置が起動されていて、前記第１表示データが前記表示装置に表示されていて、ユーザにより前記起動スイッチ部が操作されていないときに、前記第２情報処理装置を起動するための起動イベントが発生した場合、前記起動制御部は、前記第２情報処理装置を起動する
情報処理装置。
【請求項２７】
請求項２に記載の情報処理装置において、
前記第１情報処理装置と前記第２情報処理装置とのうちの前記第２情報処理装置が起動されていて、前記第２表示データが前記表示装置に表示されていて、ユーザにより前記起動スイッチ部が操作されていないときに、前記第２情報処理装置の起動を終了するための終了イベントが発生した場合、前記起動制御部は、前記第２情報処理装置の起動を終了し、前記表示制御部への前記第２表示指示の出力を終了する
情報処理装置。
【請求項２８】
請求項２に記載の情報処理装置において、
前記第１情報処理装置と前記第２情報処理装置とが起動されていて、前記第１表示データが前記表示装置に表示されていて、ユーザにより前記起動スイッチ部が操作されていないときに、前記第２情報処理装置の起動を終了するための終了イベントが発生した場合、前記起動制御部は、前記第２情報処理装置の起動を終了する
情報処理装置。
【請求項２９】
請求項２に記載の情報処理装置において、
前記第１情報処理装置と前記第２情報処理装置とが起動されていて、前記第２表示データが前記表示装置に表示されていて、ユーザにより前記起動スイッチ部が操作されていないときに、前記第２情報処理装置の起動を終了するための終了イベントが発生した場合、前記起動制御部は、前記第２情報処理装置の起動を終了し、前記第２表示指示に代えて前記第１表示指示を前記表示制御部に出力する
情報処理装置。
【請求項３０】
請求項５に記載の情報処理装置において、
前記第１情報処理装置と前記第２情報処理装置とが起動されていて、前記第３表示データが前記表示装置に表示されていて、ユーザにより前記起動スイッチ部が操作されていないときに、前記第２情報処理装置の起動を終了するための終了イベントが発生した場合、前記起動制御部は、前記第２情報処理装置の起動を終了し、前記第３表示指示に代えて前記第１表示指示を前記表示制御部に出力する
情報処理装置。
【請求項３１】
請求項８に記載の情報処理装置において、
前記第１情報処理装置と前記第２情報処理装置とが起動されていて、前記第４表示データが前記表示装置に表示されていて、ユーザにより前記起動スイッチ部が操作されていないときに、前記第２情報処理装置の起動を終了するための終了イベントが発生した場合、前記起動制御部は、前記第２情報処理装置の起動を終了し、前記第４表示指示に代えて前記第１表示指示を前記表示制御部に出力する
情報処理装置。
【請求項３２】
請求項８に記載の情報処理装置において、
前記第１情報処理装置と前記第２情報処理装置との両方が起動されていないときに、ユーザにより前記起動スイッチ部のうちの第５スイッチが操作された場合、前記起動制御部は、前記第１情報処理装置と前記第２情報処理装置とを起動し、前記第４表示指示を前記表示制御部に出力する
情報処理装置。
【請求項３３】
請求項５又は１２に記載の情報処理装置において、
更に、
メモリを具備し、
前記表示制御部は、前記第３表示指示に応じて、前記設定表示データが表示されるように前記表示装置を制御し、
前記設定表示データは、前記第３表示データに含まれる前記第１表示データを、前記第３表示データに含まれる前記第２表示データ上の所定の位置に表示するための複数の候補位置スイッチを含み、前記複数の候補位置スイッチのそれぞれは、複数の候補位置のそれぞれに対応し、
前記表示制御部は、
前記表示装置に前記設定表示データが表示されているときに、ユーザにより前記複数の候補位置スイッチのうちの第１候補位置スイッチが操作された場合、前記複数の候補位置のうち、前記第１候補位置スイッチに対応する第１候補位置を表す第１候補位置情報を前記メモリに格納して前記設定表示データの表示を終了し、
前記メモリを参照して、前記第２表示データ上の前記第１候補位置に前記第１表示データを表示する
情報処理装置。
【請求項３４】
請求項３３に記載の情報処理装置において、
更に、
第１移動スイッチ部を具備し、
前記表示制御部は、前記第３表示データと共に操作表示データを前記表示装置に表示し、
前記操作表示データは、前記第２表示データ上の前記第１候補位置以外の位置に表示され、第２移動スイッチ部を含み、
前記第３表示データと操作表示データとが前記表示装置に表示されているときに、ユーザにより前記第１移動スイッチ部又は前記第２移動スイッチ部の第１移動スイッチが操作された場合、前記表示制御部は、前記第２表示データ上の前記第１候補位置に表示された前記第１表示データを、前記第２表示データ上の前記第１移動スイッチの操作に応じた位置に変更する
情報処理装置。
【請求項３５】
請求項１〜３４のいずれか一項に記載の情報処理装置において、
前記第１情報処理装置は、テレビジョンであり、前記第２情報処理装置は、パーソナルコンピュータである
情報処理装置。
【発明の詳細な説明】
【技術分野】
【０００１】
本発明は、情報処理装置に関し、特に、表示データを表示装置に表示する情報処理装置に関する。
【背景技術】
【０００２】
第１表示データと第２表示データとを切り替えて表示する情報処理装置が知られている（例えば特許文献１）。
【０００３】
従来の情報処理装置は、ＣＰＵ（Ｃｅｎｔｒａｌ  Ｐｒｏｃｅｓｓｉｎｇ  Ｕｎｉｔ）を備えた第１及び第２情報処理装置と、表示装置と、入力装置とを具備する。表示装置は、第１情報処理装置と第２情報処理装置とに共有されている。上記の第１表示データは、第１情報処理装置の表示データであり、上記の第２表示データは、第２情報処理装置の表示データである。
【０００４】
ユーザは、第１情報処理装置を利用するときに、入力装置を操作して、第１情報処理装置のＣＰＵを起動させる。第１情報処理装置のＣＰＵは、第１表示データを表示装置に出力し、表示装置には、第１表示データが表示される。表示装置に第１表示データが表示されたとき、ユーザは、第１情報処理装置を利用することができる。
【０００５】
ユーザは、第１情報処理装置が起動しているときに第２情報処理装置を利用する場合、入力装置を操作して、第１情報処理装置のＣＰＵの起動を終了させて、第２情報処理装置のＣＰＵを起動させる。第２情報処理装置のＣＰＵは、第２表示データを表示装置に出力し、表示装置には、第２表示データが表示される。表示装置に第２表示データが表示されたとき、ユーザは、第２情報処理装置を利用することができる。
【０００６】
ユーザは、第２情報処理装置が起動しているときに第１情報処理装置を利用する場合、入力装置を操作して、第２情報処理装置のＣＰＵの起動を終了させて、第１情報処理装置のＣＰＵを起動させる。第１情報処理装置のＣＰＵは、第１表示データを表示装置に出力し、表示装置には、第１表示データが表示される。表示装置に第１表示データが表示されたとき、ユーザは、再度、第１情報処理装置を利用することができる。
【０００７】
しかしながら、従来の情報処理装置では、ユーザは、第１表示データから第２表示データに切り替えるときに、入力装置を操作して、第１情報処理装置の起動を終了させて第２情報処理装置を起動させなければならない。また、従来の情報処理装置では、ユーザは、第２表示データから第１表示データに切り替えるときに、入力装置を操作して、第２情報処理装置の起動を終了させて第１情報処理装置を起動させなければならない。
【０００８】
第１情報処理装置が起動してから、表示装置に第１表示データが表示されるまでの起動時間と、第２情報処理装置が起動してから、表示装置に第２表示データが表示されるまでの起動時間とは、異なる。例えば、第１情報処理装置がテレビジョン（ＴＶ）であり、第２情報処理装置がパーソナルコンピュータ（ＰＣ）である場合、第２情報処理装置（ＰＣ）が起動してから、第２表示データ（ＰＣの表示データ）が表示装置に表示されるまでの起動時間は、第１情報処理装置（ＴＶ）が起動してから、第１表示データ（ＴＶの表示データ）が表示装置に表示されるまでの起動時間よりも長い。その結果、ユーザが第１表示データから第２表示データに切り替えるときに、第１表示データの表示が終了してから、第２表示データが表示装置に表示されるまで、ユーザは待たなければならない。このため、ユーザは、第２表示データを見ながら情報処理装置を利用することができずイライラしてしまう。
【０００９】
【特許文献１】特開２００２−１４２１６１号公報
【発明の開示】
【発明が解決しようとする課題】
【００１０】
本発明の課題は、ユーザがイライラすることなく利用することができる情報処理装置を提供することにある。
【００１１】
本発明の他の課題は、第１表示データと第２表示データとの少なくとも１つの表示データをユーザが見ることができる情報処理装置を提供することにある。
【００１２】
本発明の更に他の課題は、第１表示データと第２表示データとの一方から第１表示データと第２表示データとの他方に瞬時に切り替えることができる情報処理装置を提供することにある。
【００１３】
本発明の更に他の課題は、利用性、操作性が向上する情報処理装置を提供することにある。
【課題を解決するための手段】
【００１４】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１５】
本発明の情報処理装置は、第１情報処理装置｛ＴＶ部（３１）｝と、第２情報処理装置｛ＰＣ部（３２）｝とを具備する。第１情報処理装置としては、テレビジョン（以下、ＴＶ）が例示され、第２情報処理装置としては、パーソナルコンピュータ（以下、ＰＣ）が例示される。
本発明の情報処理装置は、更に、表示装置（２）と、起動制御部（１５）と、表示制御部（１６）と、起動スイッチ部（４０）とを具備する。表示装置（２）と表示制御部（１６）は、第１情報処理装置｛ＴＶ部（３１）｝と第２情報処理装置｛ＰＣ部（３２）｝により共有される。表示装置（２）としてはＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ、プラズマディスプレイが例示される。
本発明の情報処理装置は、以下の処理を行う。この処理は、発明を実施するための最良の形態にて説明される第１状態遷移実行処理のパターンＡ３に対応する。
第１情報処理装置｛ＴＶ部（３１）｝と第２情報処理装置｛ＰＣ部（３２）｝との両方が起動されていないときに、ユーザにより起動スイッチ部（４０）のうちの第１スイッチ｛Ｍａｉｎボタン（４１）｝が操作される。この場合、起動制御部（１５）は、第１情報処理装置｛ＴＶ部（３１）｝と第２情報処理装置｛ＰＣ部（３２）｝とを起動し、第１情報処理装置｛ＴＶ部（３１）｝の表示データである第１表示データ｛ＴＶ表示データ（８１）｝を表示装置（２）に表示するための第１表示指示（ＴＶ表示指示）を表示制御部（１６）に出力する。
表示制御部（１６）は、第１表示指示（ＴＶ表示指示）に応じて、第１表示データ｛ＴＶ表示データ（８１）｝が表示されるように表示装置（２）を制御する。
【００１６】
第１情報処理装置｛ＴＶ部（３１）｝がテレビジョンであり、第２情報処理装置｛ＰＣ部（３２）｝がパーソナルコンピュータである場合、第２情報処理装置｛ＰＣ部（３２）｝が起動してから、第２情報処理装置｛ＰＣ部（３２）｝の表示データである第２表示データ｛ＰＣ表示データ（８２）｝が表示装置（２）に表示されるまでの起動時間は、第１情報処理装置｛ＴＶ部（３１）｝が起動してから、第１表示データ｛ＴＶ表示データ（８１）｝が表示装置（２）に表示されるまでの起動時間よりも長い。表示装置（２）に第１表示データ｛ＴＶ表示データ（８１）｝が表示されたときに、ユーザは第１情報処理装置｛ＴＶ部（３１）｝を利用することができ、表示装置（２）に第２表示データ｛ＰＣ表示データ（８２）｝が表示されたときに、ユーザは第２情報処理装置｛ＰＣ部（３２）｝を利用することができる。
本発明の情報処理装置によれば、上記パターンＡ３の場合、ユーザが第１スイッチ｛Ｍａｉｎボタン（４１）｝を操作したとき、ユーザが第１スイッチ｛Ｍａｉｎボタン（４１）｝を操作してから、第２情報処理装置｛ＰＣ部（３２）｝が利用可能になるまで、第１表示データ｛ＴＶ表示データ（８１）｝が表示装置（２）に表示される。このように、上記パターンＡ３の場合、ユーザは、第２情報処理装置｛ＰＣ部（３２）｝が利用可能になるまで第１情報処理装置｛ＴＶ部（３１）｝を利用することができるため（例示；テレビの視聴）、イライラすることなく、本発明の情報処理装置を利用することができる。
【００１７】
本発明の情報処理装置は、以下の処理を行う。この処理は、発明を実施するための最良の形態にて説明される第１状態遷移実行処理のパターンＡ１に対応する。
第１情報処理装置｛ＴＶ部（３１）｝と第２情報処理装置｛ＰＣ部（３２）｝との両方が起動されていないときに、ユーザにより起動スイッチ部（４０）のうちの第２スイッチ｛ＴＶボタン（４３）｝が操作される。この場合、起動制御部（１５）は、第１情報処理装置｛ＴＶ部（３１）｝を起動し、第１表示指示（ＴＶ表示指示）を表示制御部（１６）に出力する。
本発明の情報処理装置によれば、上記パターンＡ１の場合、ユーザが第２スイッチ｛ＴＶボタン（４３）｝を操作したとき、第１表示データ｛ＴＶ表示データ（８１）｝が表示装置（２）に表示される。このように、上記パターンＡ１の場合、ユーザは、第２スイッチ｛ＴＶボタン（４３）｝を操作すればよく、本発明の情報処理装置は、ユーザの簡単な操作により第１表示データ｛ＴＶ表示データ（８１）｝を見ることができる。
【００１８】
本発明の情報処理装置は、以下の処理を行う。この処理は、発明を実施するための最良の形態にて説明される第１状態遷移実行処理のパターンＡ２に対応する。
第１情報処理装置｛ＴＶ部（３１）｝と第２情報処理装置｛ＰＣ部（３２）｝との両方が起動していないときに、ユーザにより起動スイッチ部（４０）のうちの第３スイッチ｛ＰＣボタン（４２）｝が操作される。この場合、起動制御部（１５）は、第２情報処理装置｛ＰＣ部（３２）｝を起動し、第２情報処理装置｛ＰＣ部（３２）｝の表示データである第２表示データ｛ＰＣ表示データ（８２）｝を表示装置（２）に表示するための第２表示指示（ＰＣ表示指示）を表示制御部（１６）に出力する。
表示制御部（１６）は、第２表示指示（ＰＣ表示指示）に応じて、第２表示データ｛ＰＣ表示データ（８２）｝が表示されるように表示装置（２）を制御する。
本発明の情報処理装置によれば、上記パターンＡ２の場合、ユーザが第３スイッチ｛ＰＣボタン（４２）｝を操作したとき、第２表示データ｛ＰＣ表示データ（８２）｝が表示装置（２）に表示される。このように、上記パターンＡ２の場合、ユーザは、第３スイッチ｛ＰＣボタン（４２）｝を操作すればよく、本発明の情報処理装置は、ユーザの簡単な操作により第２表示データ｛ＰＣ表示データ（８２）｝を見ることができる。
【００１９】
本発明の情報処理装置は、以下の処理を行う。この処理は、発明を実施するための最良の形態にて説明される第１状態遷移実行処理のパターンＡ５に対応する。
第１情報処理装置｛ＴＶ部（３１）｝と第２情報処理装置｛ＰＣ部（３２）｝とのうちの第２情報処理装置｛ＰＣ部（３２）｝が起動されていて、第２表示データ｛ＰＣ表示データ（８２）｝が表示装置（２）に表示されているときに、ユーザにより第２スイッチ｛ＴＶボタン（４３）｝が操作される。この場合、起動制御部（１５）は、第１情報処理装置｛ＴＶ部（３１）｝を更に起動し、第２表示指示（ＰＣ表示指示）に代えて第１表示指示（ＴＶ表示指示）を表示制御部（１６）に出力する。
本発明の情報処理装置によれば、上記パターンＡ５の場合、ユーザが第２スイッチ｛ＴＶボタン（４３）｝を操作したとき、第１表示データ｛ＴＶ表示データ（８１）｝が表示装置（２）に表示される。このように、本発明の情報処理装置は、上記パターンＡ５の場合、ユーザの簡単な操作により、第２表示データ｛ＰＣ表示データ（８２）｝から第１表示データ｛ＴＶ表示データ（８１）｝に瞬時に切り替えることができる。また、上記パターンＡ５の場合、ユーザは、第２情報処理装置｛ＰＣ部（３２）｝の起動を終了させずに第１情報処理装置｛ＴＶ部（３１）｝を更に起動させるために第２スイッチ｛ＴＶボタン（４３）｝を操作すればよい。このように、上記パターンＡ５の場合、ユーザは、簡単な操作により第１表示データ｛ＴＶ表示データ（８１）｝を見ることができる。
【００２０】
本発明の情報処理装置は、以下の処理を行う。この処理は、発明を実施するための最良の形態にて説明される第１状態遷移実行処理のパターンＡ４、Ａ７、Ａ８に対応する。
第１情報処理装置｛ＴＶ部（３１）｝と第２情報処理装置｛ＰＣ部（３２）｝とのうちの第２情報処理装置｛ＰＣ部（３２）｝が起動されていて、第２表示データ｛ＰＣ表示データ（８２）｝が表示装置（２）に表示されているときに、ユーザにより第１スイッチ｛Ｍａｉｎボタン（４１）｝又は第３スイッチ｛ＰＣボタン（４２）｝が操作される。この場合、起動制御部（１５）は、第２情報処理装置｛ＰＣ部（３２）｝の起動を終了し、表示制御部（１６）への第２表示指示（ＰＣ表示指示）の出力を終了する。
本発明の情報処理装置によれば、上記パターンＡ４、Ａ７、Ａ８の場合、ユーザが第１スイッチ｛Ｍａｉｎボタン（４１）｝又は第３スイッチ｛ＰＣボタン（４２）｝を操作したとき、第２表示データ｛ＰＣ表示データ（８２）｝の表示が終了する。このように、上記パターンＡ４、Ａ７、Ａ８の場合、本発明の情報処理装置は、ユーザの簡単な操作により、第２情報処理装置｛ＰＣ部（３２）｝の起動を終了させることができる。
【００２１】
本発明の情報処理装置は、以下の処理を行う。この処理は、発明を実施するための最良の形態にて説明される第１状態遷移実行処理のパターンＡ６に対応する。
第１情報処理装置｛ＴＶ部（３１）｝と第２情報処理装置｛ＰＣ部（３２）｝とのうちの第２情報処理装置｛ＰＣ部（３２）｝が起動されていて、第２表示データ｛ＰＣ表示データ（８２）｝が表示装置（２）に表示されているときに、ユーザにより起動スイッチ部（４０）のうちの第４スイッチ｛ＰＩＰボタン（４４）｝が操作される。この場合、起動制御部（１５）は、第１情報処理装置｛ＴＶ部（３１）｝を更に起動し、第１表示データ｛ＴＶ表示データ（８１）｝と第２表示データ｛ＰＣ表示データ（８２）｝とを含む第３表示データ｛ＴＶｏｎＰＣ表示データ（８３）｝を表示装置（２）に表示するための第３表示指示（ＴＶｏｎＰＣ表示指示）を表示制御部（１６）に出力する。
第３表示データ｛ＴＶｏｎＰＣ表示データ（８３）｝は、表示装置（２）に表示される第２表示データ｛ＰＣ表示データ（８２）｝上に第１表示データ｛ＴＶ表示データ（８１）｝を表示するための表示データである。第２表示データ｛ＰＣ表示データ（８２）｝上の第１表示データ｛ＴＶ表示データ（８１）｝の表示領域は、第２表示データ｛ＰＣ表示データ（８２）｝の表示領域よりも小さい。
表示制御部（１６）は、第３表示指示（ＴＶｏｎＰＣ表示指示）に応じて、第３表示データ｛ＴＶｏｎＰＣ表示データ（８３）｝が表示されるように表示装置（２）を制御する。
本発明の情報処理装置によれば、上記パターンＡ６の場合、ユーザが第４スイッチ｛ＰＩＰボタン（４４）｝を操作したとき、第２表示データ｛ＰＣ表示データ（８２）｝上に第１表示データ｛ＴＶ表示データ（８１）｝が表示される。このように、本発明の情報処理装置は、上記パターンＡ６の場合、ユーザの簡単な操作により、第２表示データ｛ＰＣ表示データ（８２）｝から第３表示データ｛ＴＶｏｎＰＣ表示データ（８３）｝に瞬時に切り替えることができる。また、上記パターンＡ６の場合、ユーザは、第２情報処理装置｛ＰＣ部（３２）｝が起動しているときに第１情報処理装置｛ＴＶ部（３１）｝を更に起動させるために第４スイッチ｛ＰＩＰボタン（４４）｝を操作すればよく、ユーザの簡単な操作により第３表示データ｛ＴＶｏｎＰＣ表示データ（８３）｝を見ることができる。
【００２２】
本発明の情報処理装置は、以下の処理を行う。この処理は、発明を実施するための最良の形態にて説明される第１状態遷移実行処理のパターンＡ９に対応する。
第１情報処理装置｛ＴＶ部（３１）｝と第２情報処理装置｛ＰＣ部（３２）｝とのうちの第１情報処理装置｛ＴＶ部（３１）｝が起動されていて、第１表示データ｛ＴＶ表示データ（８１）｝が表示装置（２）に表示されているときに、ユーザにより第３スイッチ｛ＰＣボタン（４２）｝が操作される。この場合、起動制御部（１５）は、第２情報処理装置｛ＰＣ部（３２）｝を更に起動し、第１表示指示（ＴＶ表示指示）に代えて第２表示指示（ＰＣ表示指示）を表示制御部（１６）に出力する。
本発明の情報処理装置によれば、上記パターンＡ９の場合、ユーザが第３スイッチ｛ＰＣボタン（４２）｝を操作したとき、第２表示データ｛ＰＣ表示データ（８２）｝が表示装置（２）に表示される。このように、本発明の情報処理装置は、上記パターンＡ９の場合、ユーザの簡単な操作により、第１表示データ｛ＴＶ表示データ（８１）｝から第２表示データ｛ＰＣ表示データ（８２）｝に瞬時に切り替えることができる。また、上記パターンＡ９の場合、ユーザは、第１情報処理装置｛ＴＶ部（３１）｝の起動を終了させずに第２情報処理装置｛ＰＣ部（３２）｝を更に起動させるために第３スイッチ｛ＰＣボタン（４２）｝を操作すればよい。このように、上記パターンＡ９の場合、ユーザは、簡単な操作により第２表示データ｛ＰＣ表示データ（８２）｝を見ることができる。
【００２３】
本発明の情報処理装置は、以下の処理を行う。この処理は、発明を実施するための最良の形態にて説明される第１状態遷移実行処理のパターンＡ１０、Ａ１２に対応する。
第１情報処理装置｛ＴＶ部（３１）｝と第２情報処理装置｛ＰＣ部（３２）｝とのうちの第１情報処理装置｛ＴＶ部（３１）｝が起動されていて、第１表示データ｛ＴＶ表示データ（８１）｝が表示装置（２）に表示されているときに、ユーザにより第１スイッチ｛Ｍａｉｎボタン（４１）｝又は第２スイッチ｛ＴＶボタン（４３）｝が操作される。この場合、起動制御部（１５）は、第１情報処理装置｛ＴＶ部（３１）｝の起動を終了し、表示制御部（１６）への第１表示指示（ＴＶ表示指示）の出力を終了する。
本発明の情報処理装置によれば、上記パターンＡ１０、Ａ１２の場合、ユーザが第１スイッチ｛Ｍａｉｎボタン（４１）｝又は第２スイッチ｛ＴＶボタン（４３）｝を操作したとき、第１表示データ｛ＴＶ表示データ（８１）｝の表示が終了する。このように、上記パターンＡ１０、Ａ１２の場合、本発明の情報処理装置は、ユーザの簡単な操作により、第１情報処理装置｛ＴＶ部（３１）｝の起動を終了させることができる。
【００２４】
本発明の情報処理装置は、以下の処理を行う。この処理は、発明を実施するための最良の形態にて説明される第１状態遷移実行処理のパターンＡ１１に対応する。
第１情報処理装置｛ＴＶ部（３１）｝と第２情報処理装置｛ＰＣ部（３２）｝とのうちの第１情報処理装置｛ＴＶ部（３１）｝が起動されていて、第１表示データ｛ＴＶ表示データ（８１）｝が表示装置（２）に表示されているときに、ユーザにより第４スイッチ｛ＰＩＰボタン（４４）｝が操作される。この場合、起動制御部（１５）は、第２情報処理装置｛ＰＣ部（３２）｝を更に起動し、第１表示データ｛ＴＶ表示データ（８１）｝と第２表示データ｛ＰＣ表示データ（８２）｝とを含む第４表示データ｛ＰＣｏｎＴＶ表示データ（８４）｝を表示装置（２）に表示するための第４表示指示（ＰＣｏｎＴＶ表示指示）を表示制御部（１６）に出力する。
第４表示データ｛ＰＣｏｎＴＶ表示データ（８４）｝は、表示装置（２）に表示される第１表示データ｛ＴＶ表示データ（８１）｝上に第２表示データ｛ＰＣ表示データ（８２）｝を表示するための表示データである。第１表示データ｛ＴＶ表示データ（８１）｝上の第２表示データ｛ＰＣ表示データ（８２）｝の表示領域は、第１表示データ｛ＴＶ表示データ（８１）｝の表示領域よりも小さい。
表示制御部（１６）は、第４表示指示（ＰＣｏｎＴＶ表示指示）に応じて、第４表示データ｛ＰＣｏｎＴＶ表示データ（８４）｝が表示されるように表示装置（２）を制御する。
本発明の情報処理装置によれば、上記パターンＡ１１の場合、ユーザが第４スイッチ｛ＰＩＰボタン（４４）｝を操作したとき、第１表示データ｛ＴＶ表示データ（８１）｝上に第２表示データ｛ＰＣ表示データ（８２）｝が表示される。このように、本発明の情報処理装置は、上記パターンＡ１１の場合、ユーザの簡単な操作により、第１表示データ｛ＴＶ表示データ（８１）｝から第４表示データ｛ＰＣｏｎＴＶ表示データ（８４）｝に瞬時に切り替えることができる。また、上記パターンＡ１１の場合、ユーザは、第１情報処理装置｛ＴＶ部（３１）｝が起動しているときに第２情報処理装置｛ＰＣ部（３２）｝を更に起動させるために第４スイッチ｛ＰＩＰボタン（４４）｝を操作すればよく、簡単な操作により第４表示データ｛ＰＣｏｎＴＶ表示データ（８４）｝を見ることができる。
【００２５】
本発明の情報処理装置は、以下の処理を行う。この処理は、発明を実施するための最良の形態にて説明される第１状態遷移実行処理のパターンＡ２３に対応する。
第１情報処理装置｛ＴＶ部（３１）｝と第２情報処理装置｛ＰＣ部（３２）｝とが起動されていて、第２表示データ｛ＰＣ表示データ（８２）｝が表示装置（２）に表示されているときに、ユーザにより第３スイッチ｛ＰＣボタン（４２）｝が操作される。この場合、起動制御部（１５）は、第２情報処理装置｛ＰＣ部（３２）｝の起動を終了し、第２表示指示（ＰＣ表示指示）に代えて第１表示指示（ＴＶ表示指示）を表示制御部（１６）に出力する。
本発明の情報処理装置によれば、上記パターンＡ２３の場合、ユーザが第３スイッチ｛ＰＣボタン（４２）｝を操作したとき、第２情報処理装置｛ＰＣ部（３２）｝の起動が終了し、第１表示データ｛ＴＶ表示データ（８１）｝が表示装置（２）に表示される。このように、上記パターンＡ２３の場合、本発明の情報処理装置は、ユーザの簡単な操作により、第２情報処理装置｛ＰＣ部（３２）｝の起動を終了させ、且つ、第２表示データ｛ＰＣ表示データ（８２）｝から第１表示データ｛ＴＶ表示データ（８１）｝に瞬時に切り替えることができる。
【００２６】
本発明の情報処理装置は、以下の処理を行う。この処理は、発明を実施するための最良の形態にて説明される第１状態遷移実行処理のパターンＡ２４に対応する。
第１情報処理装置｛ＴＶ部（３１）｝と第２情報処理装置｛ＰＣ部（３２）｝とが起動されていて、第２表示データ｛ＰＣ表示データ（８２）｝が表示装置（２）に表示されているときに、ユーザにより第２スイッチ｛ＴＶボタン（４３）｝が操作される。この場合、起動制御部（１５）は、第２表示指示（ＰＣ表示指示）に代えて第１表示指示（ＴＶ表示指示）を表示制御部（１６）に出力する。
本発明の情報処理装置によれば、上記パターンＡ２４の場合、ユーザが第２スイッチ｛ＴＶボタン（４３）｝を操作したとき、第１表示データ｛ＴＶ表示データ（８１）｝が表示装置（２）に表示される。このように、本発明の情報処理装置は、上記パターンＡ２４の場合、ユーザの簡単な操作により、第２表示データ｛ＰＣ表示データ（８２）｝から第１表示データ｛ＴＶ表示データ（８１）｝に瞬時に切り替えることができる。また、上記パターンＡ２４の場合、ユーザは、簡単な操作により第１表示データ｛ＴＶ表示データ（８１）｝を見ることができる。
【００２７】
本発明の情報処理装置は、以下の処理を行う。この処理は、発明を実施するための最良の形態にて説明される第１状態遷移実行処理のパターンＡ２６、Ａ２７に対応する。
第１情報処理装置｛ＴＶ部（３１）｝と第２情報処理装置｛ＰＣ部（３２）｝とが起動されていて、第２表示データ｛ＰＣ表示データ（８２）｝が表示装置（２）に表示されているときに、ユーザにより第１スイッチ｛Ｍａｉｎボタン（４１）｝が操作される。この場合、起動制御部（１５）は、第１情報処理装置｛ＴＶ部（３１）｝と第２情報処理装置｛ＰＣ部（３２）｝との起動を終了し、表示制御部（１６）への第１表示指示（ＴＶ表示指示）の出力を終了する。
本発明の情報処理装置によれば、上記パターンＡ２６、Ａ２７の場合、ユーザが第１スイッチ｛Ｍａｉｎボタン（４１）｝を操作したとき、第１表示データ｛ＴＶ表示データ（８１）｝の表示が終了し、第１情報処理装置｛ＴＶ部（３１）｝と第２情報処理装置｛ＰＣ部（３２）｝との起動が終了する。このように、上記パターンＡ２６、Ａ２７の場合、本発明の情報処理装置は、ユーザの簡単な操作により、第１情報処理装置｛ＴＶ部（３１）｝と第２情報処理装置｛ＰＣ部（３２）｝との起動を終了させることができる。
【００２８】
本発明の情報処理装置は、以下の処理を行う。この処理は、発明を実施するための最良の形態にて説明される第１状態遷移実行処理のパターンＡ２５に対応する。
第１情報処理装置｛ＴＶ部（３１）｝と第２情報処理装置｛ＰＣ部（３２）｝とが起動されていて、第２表示データ｛ＰＣ表示データ（８２）｝が表示装置（２）に表示されているときに、ユーザにより第４スイッチ｛ＰＩＰボタン（４４）｝が操作される。この場合、起動制御部（１５）は、第２表示指示（ＰＣ表示指示）に代えて第３表示指示（ＴＶｏｎＰＣ表示指示）を表示制御部（１６）に出力する。
本発明の情報処理装置によれば、上記パターンＡ２５の場合、ユーザが第４スイッチ｛ＰＩＰボタン（４４）｝を操作したとき、第２表示データ｛ＰＣ表示データ（８２）｝上に第１表示データ｛ＴＶ表示データ（８１）｝が表示される。このように、本発明の情報処理装置は、上記パターンＡ２５の場合、ユーザの簡単な操作により、第２表示データ｛ＰＣ表示データ（８２）｝から第３表示データ｛ＴＶｏｎＰＣ表示データ（８３）｝に瞬時に切り替えることができる。また、上記パターンＡ２５の場合、ユーザは、簡単な操作により第３表示データ｛ＴＶｏｎＰＣ表示データ（８３）｝を見ることができる。
【００２９】
本発明の情報処理装置は、以下の処理を行う。この処理は、発明を実施するための最良の形態にて説明される第１状態遷移実行処理のパターンＡ１３に対応する。
第１情報処理装置｛ＴＶ部（３１）｝と第２情報処理装置｛ＰＣ部（３２）｝とが起動されていて、第１表示データ｛ＴＶ表示データ（８１）｝が表示装置（２）に表示されているときに、ユーザにより第３スイッチ｛ＰＣボタン（４２）｝が操作される。この場合、起動制御部（１５）は、第１表示指示（ＴＶ表示指示）に代えて第２表示指示（ＰＣ表示指示）を表示制御部（１６）に出力する。
本発明の情報処理装置によれば、上記パターンＡ１３の場合、ユーザが第３スイッチ｛ＰＣボタン（４２）｝を操作したとき、第２表示データ｛ＰＣ表示データ（８２）｝が表示装置（２）に表示される。このように、本発明の情報処理装置は、上記パターンＡ１３の場合、ユーザの簡単な操作により、第１表示データ｛ＴＶ表示データ（８１）｝から第２表示データ｛ＰＣ表示データ（８２）｝に瞬時に切り替えることができる。また、上記パターンＡ１３の場合、ユーザは、簡単な操作により第２表示データ｛ＰＣ表示データ（８２）｝を見ることができる。
【００３０】
本発明の情報処理装置は、以下の処理を行う。この処理は、発明を実施するための最良の形態にて説明される第１状態遷移実行処理のパターンＡ１４に対応する。
第１情報処理装置｛ＴＶ部（３１）｝と第２情報処理装置｛ＰＣ部（３２）｝とが起動されていて、第１表示データ｛ＴＶ表示データ（８１）｝が表示装置（２）に表示されているときに、ユーザにより第２スイッチ｛ＴＶボタン（４３）｝が操作される。この場合、起動制御部（１５）は、第１情報処理装置｛ＴＶ部（３１）｝の起動を終了し、第１表示指示（ＴＶ表示指示）に代えて第２表示指示（ＰＣ表示指示）を表示制御部（１６）に出力する。
本発明の情報処理装置によれば、上記パターンＡ１４の場合、ユーザが第２スイッチ｛ＴＶボタン（４３）｝を操作したとき、第１情報処理装置｛ＴＶ部（３１）｝の起動が終了し、第２表示データ｛ＰＣ表示データ（８２）｝が表示装置（２）に表示される。このように、上記パターンＡ１４の場合、本発明の情報処理装置は、ユーザの簡単な操作により、第１情報処理装置｛ＴＶ部（３１）｝の起動を終了させ、且つ、第１表示データ｛ＴＶ表示データ（８１）｝から第２表示データ｛ＰＣ表示データ（８２）｝に瞬時に切り替えることができる。
【００３１】
本発明の情報処理装置は、以下の処理を行う。この処理は、発明を実施するための最良の形態にて説明される第１状態遷移実行処理のパターンＡ１６、Ａ１７に対応する。
第１情報処理装置｛ＴＶ部（３１）｝と第２情報処理装置｛ＰＣ部（３２）｝とが起動されていて、第１表示データ｛ＴＶ表示データ（８１）｝が表示装置（２）に表示されているときに、ユーザにより第１スイッチ｛Ｍａｉｎボタン（４１）｝が操作される。この場合、起動制御部（１５）は、第１情報処理装置｛ＴＶ部（３１）｝と第２情報処理装置｛ＰＣ部（３２）｝との起動を終了し、表示制御部（１６）への第１表示指示（ＴＶ表示指示）の出力を終了する。
本発明の情報処理装置によれば、上記パターンＡ１６、Ａ１７の場合、ユーザが第１スイッチ｛Ｍａｉｎボタン（４１）｝を操作したとき、第１表示データ｛ＴＶ表示データ（８１）｝の表示が終了し、第１情報処理装置｛ＴＶ部（３１）｝と第２情報処理装置｛ＰＣ部（３２）｝との起動が終了する。このように、上記パターンＡ１６、Ａ１７の場合、本発明の情報処理装置は、ユーザの簡単な操作により、第１情報処理装置｛ＴＶ部（３１）｝と第２情報処理装置｛ＰＣ部（３２）｝との起動を終了させることができる。
【００３２】
本発明の情報処理装置は、以下の処理を行う。この処理は、発明を実施するための最良の形態にて説明される第１状態遷移実行処理のパターンＡ１５に対応する。
第１情報処理装置｛ＴＶ部（３１）｝と第２情報処理装置｛ＰＣ部（３２）｝とが起動されていて、第１表示データ｛ＴＶ表示データ（８１）｝が表示装置（２）に表示されているときに、ユーザにより第４スイッチ｛ＰＩＰボタン（４４）｝が操作される。この場合、起動制御部（１５）は、第１表示指示（ＴＶ表示指示）に代えて第４表示指示（ＰＣｏｎＴＶ表示指示）を表示制御部（１６）に出力する。
本発明の情報処理装置によれば、上記パターンＡ１５の場合、ユーザが第４スイッチ｛ＰＩＰボタン（４４）｝を操作したとき、第１表示データ｛ＴＶ表示データ（８１）｝上に第２表示データ｛ＰＣ表示データ（８２）｝が表示される。このように、本発明の情報処理装置は、上記パターンＡ１５の場合、ユーザの簡単な操作により、第１表示データ｛ＴＶ表示データ（８１）｝から第４表示データ｛ＰＣｏｎＴＶ表示データ（８４）｝に瞬時に切り替えることができる。また、上記パターンＡ１５の場合、ユーザは、簡単な操作により第４表示データ｛ＰＣｏｎＴＶ表示データ（８４）｝を見ることができる。
【００３３】
本発明の情報処理装置は、以下の処理を行う。この処理は、発明を実施するための最良の形態にて説明される第１状態遷移実行処理のパターンＡ２８に対応する。
第１情報処理装置｛ＴＶ部（３１）｝と第２情報処理装置｛ＰＣ部（３２）｝とが起動されていて、第３表示データ｛ＴＶｏｎＰＣ表示データ（８３）｝が表示装置（２）に表示されているときに、ユーザにより第３スイッチ｛ＰＣボタン（４２）｝が操作される。この場合、起動制御部（１５）は、第３表示指示（ＴＶｏｎＰＣ表示指示）に代えて第２表示指示（ＰＣ表示指示）を表示制御部（１６）に出力する。
本発明の情報処理装置によれば、上記パターンＡ２８の場合、ユーザが第３スイッチ｛ＰＣボタン（４２）｝を操作したとき、第２表示データ｛ＰＣ表示データ（８２）｝が表示装置（２）に表示される。このように、本発明の情報処理装置は、上記パターンＡ２８の場合、ユーザの簡単な操作により、第３表示データ｛ＴＶｏｎＰＣ表示データ（８３）｝から第２表示データ｛ＰＣ表示データ（８２）｝に瞬時に切り替えることができる。また、上記パターンＡ２８の場合、ユーザは、簡単な操作により第２表示データ｛ＰＣ表示データ（８２）｝を見ることができる。
【００３４】
本発明の情報処理装置は、以下の処理を行う。この処理は、発明を実施するための最良の形態にて説明される第１状態遷移実行処理のパターンＡ２９に対応する。
第１情報処理装置｛ＴＶ部（３１）｝と第２情報処理装置｛ＰＣ部（３２）｝とが起動されていて、第３表示データ｛ＴＶｏｎＰＣ表示データ（８３）｝が表示装置（２）に表示されているときに、ユーザにより第２スイッチ｛ＴＶボタン（４３）｝が操作される。この場合、起動制御部（１５）は、第３表示指示（ＴＶｏｎＰＣ表示指示）に代えて第１表示指示（ＴＶ表示指示）を表示制御部（１６）に出力する。
本発明の情報処理装置によれば、上記パターンＡ２９の場合、ユーザが第２スイッチ｛ＴＶボタン（４３）｝を操作したとき、第１表示データ｛ＴＶ表示データ（８１）｝が表示装置（２）に表示される。このように、本発明の情報処理装置は、上記パターンＡ２９の場合、ユーザの簡単な操作により、第３表示データ｛ＴＶｏｎＰＣ表示データ（８３）｝から第１表示データ｛ＴＶ表示データ（８１）｝に瞬時に切り替えることができる。また、上記パターンＡ２９の場合、ユーザは、簡単な操作により第１表示データ｛ＴＶ表示データ（８１）｝を見ることができる。
【００３５】
本発明の情報処理装置は、以下の処理を行う。この処理は、発明を実施するための最良の形態にて説明される第１状態遷移実行処理のパターンＡ３１に対応する。
第１情報処理装置｛ＴＶ部（３１）｝と第２情報処理装置｛ＰＣ部（３２）｝とが起動されていて、第３表示データ｛ＴＶｏｎＰＣ表示データ（８３）｝が表示装置（２）に表示されているときに、ユーザにより第１スイッチ｛Ｍａｉｎボタン（４１）｝が操作される。この場合、起動制御部（１５）は、第１情報処理装置｛ＴＶ部（３１）｝と第２情報処理装置｛ＰＣ部（３２）｝との起動を終了し、表示制御部（１６）への第３表示指示（ＴＶｏｎＰＣ表示指示）の出力を終了する。
本発明の情報処理装置によれば、上記パターンＡ３１の場合、ユーザが第１スイッチ｛Ｍａｉｎボタン（４１）｝を操作したとき、第３表示データ｛ＴＶｏｎＰＣ表示データ（８３）｝の表示が終了し、第１情報処理装置｛ＴＶ部（３１）｝と第２情報処理装置｛ＰＣ部（３２）｝との起動が終了する。このように、上記パターンＡ３１の場合、本発明の情報処理装置は、ユーザの簡単な操作により、第１情報処理装置｛ＴＶ部（３１）｝と第２情報処理装置｛ＰＣ部（３２）｝との起動を終了させることができる。
【００３６】
本発明の情報処理装置は、以下の処理を行う。この処理は、発明を実施するための最良の形態にて説明される第１状態遷移実行処理のパターンＡ３０に対応する。
第１情報処理装置｛ＴＶ部（３１）｝と第２情報処理装置｛ＰＣ部（３２）｝とが起動されていて、第３表示データ｛ＴＶｏｎＰＣ表示データ（８３）｝が表示装置（２）に表示されているときに、ユーザにより第４スイッチ｛ＰＩＰボタン（４４）｝が操作される。この場合、起動制御部（１５）は、第３表示指示（ＴＶｏｎＰＣ表示指示）に代えて第１表示指示（ＴＶ表示指示）を表示制御部（１６）に出力する。
本発明の情報処理装置によれば、上記パターンＡ３０の場合、ユーザが第４スイッチ｛ＰＩＰボタン（４４）｝を操作したとき、第１表示データ｛ＴＶ表示データ（８１）｝が表示装置（２）に表示される。このように、本発明の情報処理装置は、上記パターンＡ３０の場合、ユーザの簡単な操作により、第３表示データ｛ＴＶｏｎＰＣ表示データ（８３）｝から第１表示データ｛ＴＶ表示データ（８１）｝に瞬時に切り替えることができる。また、上記パターンＡ３０の場合、ユーザは、簡単な操作により第１表示データ｛ＴＶ表示データ（８１）｝を見ることができる。
【００３７】
本発明の情報処理装置は、以下の処理を行う。この処理は、発明を実施するための最良の形態にて説明される第１状態遷移実行処理のパターンＡ１８に対応する。
第１情報処理装置｛ＴＶ部（３１）｝と第２情報処理装置｛ＰＣ部（３２）｝とが起動されていて、第４表示データ｛ＰＣｏｎＴＶ表示データ（８４）｝が表示装置（２）に表示されているときに、ユーザにより第３スイッチ｛ＰＣボタン（４２）｝が操作される。この場合、起動制御部（１５）は、第４表示指示（ＰＣｏｎＴＶ表示指示）に代えて第２表示指示（ＰＣ表示指示）を表示制御部（１６）に出力する。
本発明の情報処理装置によれば、上記パターンＡ１８の場合、ユーザが第３スイッチ｛ＰＣボタン（４２）｝を操作したとき、第２表示データ｛ＰＣ表示データ（８２）｝が表示装置（２）に表示される。このように、本発明の情報処理装置は、上記パターンＡ１８の場合、ユーザの簡単な操作により、第４表示データ｛ＰＣｏｎＴＶ表示データ（８４）｝から第２表示データ｛ＰＣ表示データ（８２）｝に瞬時に切り替えることができる。また、上記パターンＡ１８の場合、ユーザは、簡単な操作により第２表示データ｛ＰＣ表示データ（８２）｝を見ることができる。
【００３８】
本発明の情報処理装置は、以下の処理を行う。この処理は、発明を実施するための最良の形態にて説明される第１状態遷移実行処理のパターンＡ１９に対応する。
第１情報処理装置｛ＴＶ部（３１）｝と第２情報処理装置｛ＰＣ部（３２）｝とが起動されていて、第４表示データ｛ＰＣｏｎＴＶ表示データ（８４）｝が表示装置（２）に表示されているときに、ユーザにより第２スイッチ｛ＴＶボタン（４３）｝が操作される。この場合、起動制御部（１５）は、第４表示指示（ＰＣｏｎＴＶ表示指示）に代えて第１表示指示（ＴＶ表示指示）を表示制御部（１６）に出力する。
本発明の情報処理装置によれば、上記パターンＡ１９の場合、ユーザが第２スイッチ｛ＴＶボタン（４３）｝を操作したとき、第１表示データ｛ＴＶ表示データ（８１）｝が表示装置（２）に表示される。このように、本発明の情報処理装置は、上記パターンＡ１９の場合、ユーザの簡単な操作により、第４表示データ｛ＰＣｏｎＴＶ表示データ（８４）｝から第１表示データ｛ＴＶ表示データ（８１）｝に瞬時に切り替えることができる。また、上記パターンＡ１９の場合、ユーザは、簡単な操作により第１表示データ｛ＴＶ表示データ（８１）｝を見ることができる。
【００３９】
本発明の情報処理装置は、以下の処理を行う。この処理は、発明を実施するための最良の形態にて説明される第１状態遷移実行処理のパターンＡ２１、Ａ２２に対応する。
第１情報処理装置｛ＴＶ部（３１）｝と第２情報処理装置｛ＰＣ部（３２）｝とが起動されていて、第４表示データ｛ＰＣｏｎＴＶ表示データ（８４）｝が表示装置（２）に表示されているときに、ユーザにより第１スイッチ｛Ｍａｉｎボタン（４１）｝が操作される。この場合、起動制御部（１５）は、第１情報処理装置｛ＴＶ部（３１）｝と第２情報処理装置｛ＰＣ部（３２）｝との起動を終了し、表示制御部（１６）への第４表示指示（ＰＣｏｎＴＶ表示指示）の出力を終了する。
本発明の情報処理装置によれば、上記パターンＡ２１、Ａ２２の場合、ユーザが第１スイッチ｛Ｍａｉｎボタン（４１）｝を操作したとき、第４表示データ｛ＰＣｏｎＴＶ表示データ（８４）｝の表示が終了し、第１情報処理装置｛ＴＶ部（３１）｝と第２情報処理装置｛ＰＣ部（３２）｝との起動が終了する。このように、上記パターンＡ２１、Ａ２２の場合、本発明の情報処理装置は、ユーザの簡単な操作により、第１情報処理装置｛ＴＶ部（３１）｝と第２情報処理装置｛ＰＣ部（３２）｝との起動を終了させることができる。
【００４０】
本発明の情報処理装置は、以下の処理を行う。この処理は、発明を実施するための最良の形態にて説明される第１状態遷移実行処理のパターンＡ２０に対応する。
第１情報処理装置｛ＴＶ部（３１）｝と第２情報処理装置｛ＰＣ部（３２）｝とが起動されていて、第４表示データ｛ＰＣｏｎＴＶ表示データ（８４）｝が表示装置（２）に表示されているときに、ユーザにより第４スイッチ｛ＰＩＰボタン（４４）｝が操作される。この場合、起動制御部（１５）は、第４表示指示（ＰＣｏｎＴＶ表示指示）に代えて第２表示指示（ＰＣ表示指示）を表示制御部（１６）に出力する。
本発明の情報処理装置によれば、上記パターンＡ２０の場合、ユーザが第４スイッチ｛ＰＩＰボタン（４４）｝を操作したとき、第２表示データ｛ＰＣ表示データ（８２）｝が表示装置（２）に表示される。このように、本発明の情報処理装置は、上記パターンＡ２０の場合、ユーザの簡単な操作により、第４表示データ｛ＰＣｏｎＴＶ表示データ（８４）｝から第２表示データ｛ＰＣ表示データ（８２）｝に瞬時に切り替えることができる。また、上記パターンＡ２０の場合、ユーザは、簡単な操作により第２表示データ｛ＰＣ表示データ（８２）｝を見ることができる。
【００４１】
本発明の情報処理装置は、以下の処理を行う。この処理は、発明を実施するための最良の形態にて説明される第２状態遷移実行処理のパターンＢ１に対応する。
第１情報処理装置｛ＴＶ部（３１）｝と第２情報処理装置｛ＰＣ部（３２）｝との両方が起動されてないときに、第２情報処理装置｛ＰＣ部（３２）｝を起動するための起動イベントが発生することがある。この場合、ユーザにより起動スイッチ部（４０）が操作されていない。起動制御部（１５）は、第２情報処理装置｛ＰＣ部（３２）｝を起動し、第２表示指示（ＰＣ表示指示）を表示制御部（１６）に出力する。
本発明の情報処理装置によれば、上記パターンＢ１の場合、起動イベントが発生したとき、自動的に第２表示データ｛ＰＣ表示データ（８２）｝を表示装置（２）に表示させ、ユーザは、第２表示データ｛ＰＣ表示データ（８２）｝を見ながら第２情報処理装置｛ＰＣ部（３２）｝を利用することができる。
【００４２】
本発明の情報処理装置は、以下の処理を行う。この処理は、発明を実施するための最良の形態にて説明される第２状態遷移実行処理のパターンＢ２に対応する。
第１情報処理装置｛ＴＶ部（３１）｝と第２情報処理装置｛ＰＣ部（３２）｝とのうちの第１情報処理装置｛ＴＶ部（３１）｝が起動されていて、第１表示データ｛ＴＶ表示データ（８１）｝が表示装置（２）に表示されているときに、第２情報処理装置｛ＰＣ部（３２）｝を起動するための起動イベントが発生することがある。この場合、ユーザにより起動スイッチ部（４０）が操作されていない。起動制御部（１５）は、第２情報処理装置｛ＰＣ部（３２）｝を起動する。
本発明の情報処理装置によれば、上記パターンＢ２の場合、起動イベントが発生したとき、ユーザが第１情報処理装置｛ＴＶ部（３１）｝を利用しながら、自動的に第２情報処理装置｛ＰＣ部（３２）｝を起動させることができる。
【００４３】
本発明の情報処理装置は、以下の処理を行う。この処理は、発明を実施するための最良の形態にて説明される第３状態遷移実行処理のパターンＣ１に対応する。
第１情報処理装置｛ＴＶ部（３１）｝と第２情報処理装置｛ＰＣ部（３２）｝とのうちの第２情報処理装置｛ＰＣ部（３２）｝が起動されていて、第２表示データ｛ＰＣ表示データ（８２）｝が表示装置（２）に表示されているときに、第２情報処理装置｛ＰＣ部（３２）｝の起動を終了するための終了イベントが発生することがある。この場合、ユーザにより起動スイッチ部（４０）が操作されていない。起動制御部（１５）は、第２情報処理装置｛ＰＣ部（３２）｝の起動を終了し、表示制御部（１６）への第２表示指示（ＰＣ表示指示）の出力を終了する。
本発明の情報処理装置によれば、上記パターンＣ１の場合、終了イベントが発生したとき、自動的に、第２表示データ｛ＰＣ表示データ（８２）｝の表示を終了させ、第２情報処理装置｛ＰＣ部（３２）｝の起動を終了させることができる。
【００４４】
本発明の情報処理装置は、以下の処理を行う。この処理は、発明を実施するための最良の形態にて説明される第３状態遷移実行処理のパターンＣ２に対応する。
第１情報処理装置｛ＴＶ部（３１）｝と第２情報処理装置｛ＰＣ部（３２）｝とが起動されていて、第１表示データ｛ＴＶ表示データ（８１）｝が表示装置（２）に表示されているときに、第２情報処理装置｛ＰＣ部（３２）｝の起動を終了するための終了イベントが発生することがある。この場合、ユーザにより起動スイッチ部（４０）が操作されていない。起動制御部（１５）は、第２情報処理装置｛ＰＣ部（３２）｝の起動を終了する。
本発明の情報処理装置によれば、上記パターンＣ２の場合、終了イベントが発生したとき、自動的に第２情報処理装置｛ＰＣ部（３２）｝の起動を終了させることができる。
【００４５】
本発明の情報処理装置は、以下の処理を行う。この処理は、発明を実施するための最良の形態にて説明される第３状態遷移実行処理のパターンＣ４に対応する。
第１情報処理装置｛ＴＶ部（３１）｝と第２情報処理装置｛ＰＣ部（３２）｝とが起動されていて、第２表示データ｛ＰＣ表示データ（８２）｝が表示装置（２）に表示されているときに、第２情報処理装置｛ＰＣ部（３２）｝の起動を終了するための終了イベントが発生することがある。この場合、ユーザにより起動スイッチ部（４０）が操作されていない。起動制御部（１５）は、第２情報処理装置｛ＰＣ部（３２）｝の起動を終了し、第２表示指示（ＰＣ表示指示）に代えて第１表示指示（ＴＶ表示指示）を表示制御部（１６）に出力する。
本発明の情報処理装置によれば、上記パターンＣ４の場合、終了イベントが発生したとき、自動的に第２情報処理装置｛ＰＣ部（３２）｝の起動を終了させ、第２表示データ｛ＰＣ表示データ（８２）｝から第１表示データ｛ＴＶ表示データ（８１）｝に瞬時に切り替えることができる。
【００４６】
本発明の情報処理装置は、以下の処理を行う。この処理は、発明を実施するための最良の形態にて説明される第３状態遷移実行処理のパターンＣ５に対応する。
第１情報処理装置｛ＴＶ部（３１）｝と第２情報処理装置｛ＰＣ部（３２）｝とが起動されていて、第３表示データ｛ＴＶｏｎＰＣ表示データ（８３）｝が表示装置（２）に表示されているときに、第２情報処理装置｛ＰＣ部（３２）｝の起動を終了するための終了イベントが発生することがある。この場合、ユーザにより起動スイッチ部（４０）が操作されていない。起動制御部（１５）は、第２情報処理装置｛ＰＣ部（３２）｝の起動を終了し、第３表示指示（ＴＶｏｎＰＣ表示指示）に代えて第１表示指示（ＴＶ表示指示）を表示制御部（１６）に出力する。
本発明の情報処理装置によれば、上記パターンＣ５の場合、終了イベントが発生したとき、自動的に第２情報処理装置｛ＰＣ部（３２）｝の起動を終了させ、第３表示データ｛ＴＶｏｎＰＣ表示データ（８３）｝から第１表示データ｛ＴＶ表示データ（８１）｝に瞬時に切り替えることができる。
【００４７】
本発明の情報処理装置は、以下の処理を行う。この処理は、発明を実施するための最良の形態にて説明される第３状態遷移実行処理のパターンＣ３に対応する。
第１情報処理装置｛ＴＶ部（３１）｝と第２情報処理装置｛ＰＣ部（３２）｝とが起動されていて、第４表示データ｛ＰＣｏｎＴＶ表示データ（８４）｝が表示装置（２）に表示されているときに、第２情報処理装置｛ＰＣ部（３２）｝の起動を終了するための終了イベントが発生することがある。この場合、ユーザにより起動スイッチ部（４０）が操作されていない。起動制御部（１５）は、第２情報処理装置｛ＰＣ部（３２）｝の起動を終了し、第４表示指示（ＰＣｏｎＴＶ表示指示）に代えて第１表示指示（ＴＶ表示指示）を表示制御部（１６）に出力する。
本発明の情報処理装置によれば、上記パターンＣ３の場合、終了イベントが発生したとき、自動的に第２情報処理装置｛ＰＣ部（３２）｝の起動を終了させ、第４表示データ｛ＰＣｏｎＴＶ表示データ（８４）｝から第１表示データ｛ＴＶ表示データ（８１）｝に瞬時に切り替えることができる。
【００４８】
本発明の情報処理装置は、以下の処理を行う。この処理は、発明を実施するための最良の形態にて説明される第３状態遷移実行処理のパターンＤ１に対応する。
第１情報処理装置｛ＴＶ部（３１）｝と第２情報処理装置｛ＰＣ部（３２）｝との両方が起動されていないときに、ユーザにより起動スイッチ部（４０）のうちの第５スイッチ｛Ｐｒｏｇｒａｍボタン（４５）｝が操作される。この場合、起動制御部（１５）は、第１情報処理装置｛ＴＶ部（３１）｝と第２情報処理装置｛ＰＣ部（３２）｝とを起動し、第４表示指示（ＰＣｏｎＴＶ表示指示）を表示制御部（１６）に出力する。
本発明の情報処理装置によれば、上記パターンＤ１の場合、ユーザが第５スイッチ｛Ｐｒｏｇｒａｍボタン（４５）｝を操作したとき、ユーザが第５スイッチ｛Ｐｒｏｇｒａｍボタン（４５）｝を操作してから、第２情報処理装置｛ＰＣ部（３２）｝が利用可能になるまで、第１表示データ｛ＴＶ表示データ（８１）｝が表示装置（２）に表示される。次に、第１表示データ｛ＴＶ表示データ（８１）｝上に第２表示データ｛ＰＣ表示データ（８２）｝が表示される。このように、上記パターンＤ１の場合、ユーザは、第２情報処理装置｛ＰＣ部（３２）｝が利用可能になるまで第１情報処理装置｛ＴＶ部（３１）｝を利用することができるため（例示；テレビの視聴）、イライラすることなく、本発明の情報処理装置を利用することができる。
【００４９】
本発明の情報処理装置は、更に、メモリ（７５）を具備する。
表示制御部（１６）は、第３表示指示（ＴＶｏｎＰＣ表示指示）に応じて、設定表示データ（９０）が表示されるように表示装置（２）を制御する。
ここで、設定表示データ（９０）は、第３表示データ｛ＴＶｏｎＰＣ表示データ（８３）｝に含まれる第１表示データ｛ＴＶ表示データ（８１）｝を、第３表示データ｛ＴＶｏｎＰＣ表示データ（８３）｝に含まれる第２表示データ｛ＰＣ表示データ（８２）｝上の所定の位置に表示するための複数の候補位置スイッチ（９１〜９４）を含む。複数の候補位置スイッチ（９１〜９４）のそれぞれは、複数の候補位置のそれぞれに対応する。
表示装置（２）に設定表示データ（９０）が表示されているときに、ユーザにより複数の候補位置スイッチ（９１〜９４）のうちの第１候補位置スイッチ（９４）が操作される。この場合、表示制御部（１６）は、複数の候補位置のうち、第１候補位置スイッチ（９４）に対応する第１候補位置を表す第１候補位置情報をメモリ（７５）に格納して前記設定表示データ（９０）の表示を終了する。
表示制御部（１６）は、メモリ（７５）を参照して、第２表示データ｛ＰＣ表示データ（８２）｝上の第１候補位置に第１表示データ｛ＴＶ表示データ（８１）｝を表示する。
このように、本発明の情報処理装置によれば、表示装置（２）上に表示される第３表示データ｛ＴＶｏｎＰＣ表示データ（８３）｝の子画面［第１表示データ｛ＴＶ表示データ（８１）｝］の位置をユーザが決定することができる。従って、本発明の情報処理装置は、利用性、操作性が向上する。
【００５０】
本発明の情報処理装置は、更に、第１移動スイッチ部（６２）を具備する。
表示制御部（１６）は、第３表示データ｛ＴＶｏｎＰＣ表示データ（８３）｝と共に操作表示データ（１００）を表示装置（２）に表示する。
操作表示データ（１００）は、第２表示データ｛ＰＣ表示データ（８２）｝上の第１候補位置以外の位置に表示され、第２移動スイッチ部（１１２）を含む。
第３表示データ｛ＴＶｏｎＰＣ表示データ（８３）｝と操作表示データ（１００）とが表示装置（２）に表示されているときに、ユーザにより第１移動スイッチ部（６２）又は第２移動スイッチ部（１１２）の第１移動スイッチ｛移動ボタン（６５、１１５）｝が操作される。この場合、表示制御部（１６）は、第２表示データ｛ＰＣ表示データ（８２）｝上の第１候補位置に表示された第１表示データ｛ＴＶ表示データ（８１）｝を、第２表示データ｛ＰＣ表示データ（８２）｝上の第１移動スイッチ｛移動ボタン（６５、１１５）｝の操作に応じた位置に変更する（移動させる）。
ユーザは、表示装置（２）に表示された親画面［第２表示データ｛ＰＣ表示データ（８２）｝］上でポインティングデバイス（５２）（例示；マウスカーソル）を利用することができる。ポインティングデバイス（５２）は、子画面［第１表示データ｛ＴＶ表示データ（８１）｝］では使用することができない。本発明の情報処理装置によれば、上述のパターンＡ６、Ａ２５にて第３表示データ｛ＴＶｏｎＰＣ表示データ（８３）｝が表示装置（２）に表示された場合、ユーザの第１移動スイッチ部（６２）又は第２移動スイッチ部（１１２）の第１移動スイッチ｛移動ボタン（６５、１１５）｝の操作により、子画面［第１表示データ｛ＴＶ表示データ（８１）｝］を表示装置（２）上で移動させることができる。従って、本発明の情報処理装置は、利用性、操作性が向上する。
【発明の効果】
【００５１】
本発明の情報処理装置は、ユーザがイライラすることなく利用することができる。
【００５２】
本発明の情報処理装置は、第１表示データと第２表示データとの少なくとも１つの表示データをユーザが見ることができる。
【００５３】
本発明の情報処理装置は、第１表示データと第２表示データとの一方から第１表示データと第２表示データとの他方に瞬時に切り替えることができる。
【００５４】
本発明の情報処理装置は、利用性、操作性が向上する。
【発明を実施するための最良の形態】
【００５５】
添付図面を参照して、本発明による情報処理装置を実施するための最良の形態を以下に説明する。
【００５６】
（第１実施形態）
図１は、本発明の第１実施形態に係る情報処理装置の構成を示すブロック図である。本発明の第１実施形態に係る情報処理装置は、制御装置１と、表示装置２と、操作装置３と、リモートコントロール端末（以下、リモート端末）６とを具備する。表示装置２、操作装置３は、制御装置１に接続されている。リモート端末６は、近距離無線通信（例示；赤外線通信、Ｂｌｕｅｔｏｏｔｈ）により制御装置１と接続される。表示装置２としてはＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ、プラズマディスプレイが例示される。
操作装置３は、ユーザの操作に応じた命令を制御装置１に出力する。リモート端末６は、操作装置３の一部として用いられ、ユーザの操作に応じた命令を、近距離無線通信により制御装置１に出力する。
【００５７】
本発明の第１実施形態に係る情報処理装置は、更に、アンテナ４と、スピーカ５とを具備する。アンテナ４、スピーカ５は、制御装置１に接続されている。制御装置１は、第１及び第２情報処理装置の機能を有する。第１情報処理装置としては、テレビジョンが例示され、第２情報処理装置としては、パーソナルコンピュータが例示される。表示装置２は、第１情報処理装置と第２情報処理装置により共有される。アンテナ４、スピーカ５は、第１情報処理装置の一部として用いられ、アンテナ４は、テレビの地上波信号を受信する。第２情報処理装置は、ネットワークに接続可能であり、ネットワークを介して他の情報処理装置（端末、サーバを含む）に接続される。
【００５８】
図２は、本発明の第１実施形態に係る情報処理装置の制御装置１の構成を示すブロック図である。制御装置１は、ＣＰＵ（Ｃｅｎｔｒａｌ  Ｐｒｏｃｅｓｓｉｎｇ  Ｕｎｉｔ）１０、２０と、メモリ１１、２１と、受信機７とを具備する。
受信機７は、チューナ８と、デコーダ９とを具備する。チューナ８は、アンテナ４により受信された地上波信号を、表示データと音声データとに変換する。デコーダ９は、チューナ８により変換された音声データをアナログ音声データに変換する。
本実施例では、ＣＰＵ１０とＣＰＵ２０とを分けて説明するが、ＣＰＵ１０とＣＰＵ２０とを含む１チップのＣＰＵ１０ａとして構成することもできる。また、本実施例では、メモリ１１とメモリ２１とを分けて説明するが、メモリ１１とメモリ２１とを含むメモリ１１ａとして構成することもできる。また、本実施例では、受信機７は、更に、チューナ８と同じ機能であるチューナ８’を具備し、制御装置１に設けられた端子（図示しない）を介してビデオデッキ（図示しない）とチューナ８’とを接続することができる。ビデオデッキ（図示しない）とチューナ８’とを接続した場合、ビデオデッキ（図示しない）は、テレビ放送（表示データと音声データ）を録画することができる。
【００５９】
メモリ１１には、ＣＰＵ１０が実行するためのコンピュータプログラム１２が格納されている。コンピュータプログラム１２は、テレビジョン（以下、ＴＶ）用プログラム１３を含む。
メモリ２１には、ＣＰＵ２０が実行するためのコンピュータプログラム２２が格納されている。コンピュータプログラム２２は、パーソナルコンピュータ（以下、ＰＣ）用プログラム２３を含む。ＰＣ用プログラム２３は、ＯＳ（Ｏｐｅｒａｔｉｎｇ  Ｓｙｓｔｅｍ）を含む。
【００６０】
コンピュータプログラム１２は、更に、検出部１４、起動制御部１５、表示制御部１６を含む。メモリ１１には、更に、データベース１７が格納されている。
本実施例では、検出部１４、起動制御部１５、表示制御部１６がコンピュータプログラム１２に含まれているが、コンピュータプログラム２２に含まれていてもよい。なお、ＰＣ用プログラム２３は、ＯＳを含むため、ＴＶ用プログラム１３よりも容量が大きい。このため、検出部１４、起動制御部１５、表示制御部１６は、コンピュータプログラム１２に含まれていることが好ましい。
また、本実施例では、検出部１４、起動制御部１５、表示制御部１６をコンピュータプログラムとして説明するが、検出部１４、起動制御部１５、表示制御部１６の機能を実現する回路としてすることもできる。
また、本実施例では、データベース１７を用いているが、データベース１７の内容をコンピュータプログラムとして起動制御部１５に記載することもできる。又は、起動制御部１５が回路である場合、データベース１７の内容を実現する回路を起動制御部１５に組み込むこともできる。
【００６１】
図３は、本発明の第１実施形態に係る情報処理装置の機能ロジックを示す。ＣＰＵ１０、ＴＶ用プログラム１３、受信機７は、上記の第１情報処理装置であるＴＶ部３１に含まれる。ＣＰＵ２０、ＰＣ用プログラム２３は、上記の第２情報処理装置であるＰＣ部３２に含まれる。表示制御部１６は、ＴＶ部３１とＰＣ部３２により共有される。
【００６２】
図４は、本発明の第１実施形態に係る情報処理装置の操作装置３の構成を示すブロック図である。操作装置３は、起動スイッチ部４０、操作スイッチ部５０、キーボード５１、ポインティングデバイス５２を含む。
【００６３】
図５は、本発明の第１実施形態に係る情報処理装置の起動スイッチ部４０の構成を示すブロック図である。起動スイッチ部４０は、Ｍａｉｎボタン４１、ＰＣボタン４２、ＴＶボタン４３、ＰｉｎＰ（Ｐｉｃｔｕｒｅ  Ｉｎ  Ｐｉｃｔｕｒｅ）ボタン４４、Ｐｒｏｇｒａｍボタン４５を含む。Ｍａｉｎボタン４１、ＰＣボタン４２、ＴＶボタン４３、ＰＩＰボタン４４、Ｐｒｏｇｒａｍボタン４５の操作については後述する。
【００６４】
図６は、本発明の第１実施形態に係る情報処理装置の操作スイッチ部５０の構成を示すブロック図である。操作スイッチ部５０は、Ｃｈａｎｎｅｌボタン５３、５４、Ｖｏｌｕｍｅボタン５５、５６を含む。Ｃｈａｎｎｅｌボタン５３、５４は、テレビ放送のチャンネルを切り替えるためのボタンである。Ｖｏｌｕｍｅボタン５５、５６は、スピーカ５から出力される音を調整するためのボタンである。
【００６５】
図７は、本発明の第１実施形態に係る情報処理装置のリモート端末６の構成を示すブロック図である。リモート端末６は、操作部６０、送信部６１とを具備する。送信部６１は、ユーザによる操作部６０の操作を、近距離無線通信により制御装置１（検出部１４）に出力する。
【００６６】
図８は、本発明の第１実施形態に係る情報処理装置のリモート端末６の操作部６０の構成を示すブロック図である。操作部６０は、操作装置３と同じ起動スイッチ部４０、操作スイッチ部５０を含み、更に、移動スイッチ部６２、決定ボタン６８、キャンセルボタン６９を含む。移動スイッチ部６２は、移動ボタン６３、６４、６５、６６を含む。移動スイッチ部６２、決定ボタン６８、キャンセルボタン６９の操作については後述の第２実施形態にて説明する。
【００６７】
図９は、本発明の第１実施形態に係る情報処理装置の制御装置１内のデータベース１７を示す。起動制御部１５は、制御装置１に電源が供給されたときに、データベース１７を参照する。データベース１７は、第１状態遷移データベース７１、第２状態遷移データベース７２、第３状態遷移データベース７３、第４状態遷移データベース７４、設定データベース７５を含む。
【００６８】
図１０は、本発明の第１実施形態に係る情報処理装置の制御装置１内の第１状態遷移データベース７１を示す。第１状態遷移データベース７１には、現在の起動情報、現在の表示情報、ボタン押下情報情報、次の表示情報、次の起動情報が対応付けられて記載されている。現在の起動情報、次の起動情報は、起動制御部１５によって起動されるＴＶ部３１、ＰＣ部３２を表す。現在の表示情報、次の表示情報は、表示制御部１６によって表示装置２に表示されるＴＶ部３１、ＰＣ部３２の表示データを表す。現在の起動情報、現在の表示情報、次の表示情報、次の起動情報の内容については、後述の第１状態遷移処理にて説明する。ボタン押下情報は、ユーザによる起動スイッチ部４０のＭａｉｎボタン４１、ＰＣボタン４２、ＴＶボタン４３のいずれかの押下を表す。
【００６９】
図１１は、本発明の第１実施形態に係る情報処理装置の制御装置１内の第２状態遷移データベース７２を示す。第２状態遷移データベース７２には、現在の起動情報、現在の表示情報、起動イベント情報、次の表示情報、次の起動情報が対応付けられて記載されている。現在の起動情報、次の起動情報は、起動制御部１５によって起動されるＴＶ部３１、ＰＣ部３２を表す。現在の表示情報、次の表示情報は、表示制御部１６によって表示装置２に表示されるＴＶ部３１、ＰＣ部３２の表示データを表す。現在の起動情報、現在の表示情報、次の表示情報、次の起動情報の内容については、後述の第２状態遷移処理にて説明する。起動イベント情報は、ＰＣ部３２を起動するための起動イベントを表す。起動イベントの場合、ユーザにより起動スイッチ部４０（Ｍａｉｎボタン４１、ＰＣボタン４２、ＴＶボタン４３、Ｐｒｏｇｒａｍボタン４５）が操作されていない。起動イベントとしては、ＰＣ部３２を起動するための起動命令が他の情報処理装置（端末、サーバ）から送信される場合が例示される。
【００７０】
図１２は、本発明の第１実施形態に係る情報処理装置の制御装置１内の第３状態遷移データベース７３を示す。第３状態遷移データベース７３には、現在の起動情報、現在の表示情報、終了イベント、次の表示情報、次の起動情報が対応付けられて記載されている。現在の起動情報、次の起動情報は、起動制御部１５によって起動されるＴＶ部３１、ＰＣ部３２を表す。現在の表示情報、次の表示情報は、表示制御部１６によって表示装置２に表示されるＴＶ部３１、ＰＣ部３２の表示データを表す。現在の起動情報、現在の表示情報、次の表示情報、次の起動情報の内容については、後述の第３状態遷移処理にて説明する。終了イベント情報は、ＰＣ部３２の起動を終了するための終了イベントを表す。終了イベントの場合、ユーザにより起動スイッチ部４０（Ｍａｉｎボタン４１、ＰＣボタン４２、ＴＶボタン４３、Ｐｒｏｇｒａｍボタン４５）が操作されていない。終了イベントとしては、ユーザにより操作装置３、リモート端末６の操作部６０が操作されてから所定時間経過するまでに、ユーザにより操作装置３、リモート端末６の操作部６０が操作されないときに、ＰＣ部３２の起動を終了する場合が例示される。
【００７１】
図１３は、本発明の第１実施形態に係る情報処理装置の制御装置１内の第４状態遷移データベース７４を示す。第４状態遷移データベース７４には、現在の起動情報、現在の表示情報、ボタン押下情報、次の表示情報、次の起動情報が対応付けられて記載されている。現在の起動情報、次の起動情報は、起動制御部１５によって起動されるＴＶ部３１、ＰＣ部３２を表す。現在の表示情報、次の表示情報は、表示制御部１６によって表示装置２に表示されるＴＶ部３１、ＰＣ部３２の表示データを表す。現在の起動情報、現在の表示情報、次の表示情報、次の起動情報の内容については、後述の第４状態遷移処理にて説明する。ボタン押下情報は、ユーザによる起動スイッチ部４０のＰｒｏｇｒａｍボタン４５の押下を表す。
第４状態遷移データベース７４の内容（現在の起動情報、現在の表示情報、次の表示情報、次の起動情報）は、販売前に予めに製造元又は販売元により記載される。また、第４状態遷移データベース７４の内容は、ユーザにより変更（追加、削除）される。この場合、ユーザによる操作装置３（キーボード５１、ポインティングデバイス５２）の操作に応じて、ＰＣ部３２のＣＰＵ２０は、第４状態遷移データベース７４に記載された内容を表示装置２に表示する。ユーザは、操作装置３（キーボード５１、ポインティングデバイス５２）を用いて、第４状態遷移データベース７４に記載された内容を変更（追加、削除）する。
【００７２】
図１４は、本発明の第１実施形態に係る情報処理装置の制御装置１内の設定データベース７５を示す。設定データベース７５には、イベント設定情報、子画面設定情報が起動制御部１５によって書き込まれる。イベント設定情報は、上記の起動イベント、終了イベントを実行するか否かを表す情報である。子画面設定情報は、後述の子画面の表示位置・移動を実行するか否かを表す情報である。第１実施形態では、子画面設定情報は、非実行を表すものとする。
設定データベース７５のイベント設定情報（起動イベント、終了イベントの実行又は非実行）は、販売前に予めに製造元又は販売元により設定される。また、設定データベース７５のイベント設定情報（起動イベント、終了イベントの実行又は非実行）は、ユーザにより変更される。この場合、ユーザによる操作装置３（キーボード５１、ポインティングデバイス５２）の操作に応じて、ＰＣ部３２のＣＰＵ２０は、設定データベース７５に記載されたイベント設定情報（起動イベント、終了イベントの実行又は非実行）を表示装置２に表示する。ユーザは、操作装置３（キーボード５１、ポインティングデバイス５２）を用いて、設定データベース７５のイベント設定情報を変更する。
【００７３】
図１５は、本発明の第１実施形態に係る情報処理装置の動作である第１状態遷移実行処理を示すフローチャートである。図１０に示されるように、第１状態遷移データベース７１に記載されたパターン（現在の起動情報、現在の表示情報、ボタン押下情報、次の起動情報、次の表示情報）としては、パターンＡ１〜Ａ３１までの３１通り挙げられる。図１０と図１５とを用いて第１状態遷移実行処理について説明する。
【００７４】
（パターンＡ１）
ＴＶ部３１とＰＣ部３２との両方が起動されていない。この状況は、第１状態遷移データベース７１に記載された現在の起動情報がＴＶｏｆｆ、ＰＣｏｆｆであり、現在の表示情報がＢｌａｎｋであるときに対応する。このときに、ユーザによりＴＶボタン４３が押下される。検出部１４は、ＴＶボタン４３が押下されたことを検出する（ステップＳ１１−ＹＥＳ）。
起動制御部１５は、検出部１４により検出されたＴＶボタン４３の押下に従って、第１状態遷移データベース７１を参照する。第１状態遷移データベース７１を参照した結果、現在の起動情報がＴＶｏｆｆ、ＰＣｏｆｆであり、現在の表示情報がＢｌａｎｋであるときに、ＴＶボタン４３が押下された場合、次の起動情報がＴＶｏｎ、ＰＣｏｆｆであり、次の表示情報がＴＶである。このとき、起動制御部１５は、ＴＶ部３１を起動するためのＴＶ起動指示をＴＶ部３１に出力し、ＴＶ部３１のＴＶ表示データ８１（図１６参照）を表示装置２に表示するためのＴＶ表示指示を表示制御部１６に出力する。ＴＶ部３１のＣＰＵ１０は、ＴＶ起動指示に応じて、ＴＶ部３１のＴＶ用プログラム１３を起動する。このとき、ＴＶ用プログラム１３は、アンテナ４により受信された地上波信号がＴＶ表示データ８１と音声データとに変換されるようにチューナ８を制御し、音声データがアナログ音声データに変換されてＴＶ表示データ８１とアナログ音声データとが表示制御部１６に出力されるようにデコーダ９を制御する（ステップＳ１２；第１起動処理）。
表示制御部１６は、ＴＶ表示指示に応じて、ＴＶ部３１（デコーダ９）からのＴＶ表示データ８１が表示されるように表示装置２を制御し、ＴＶ部３１（デコーダ９）からのアナログ音声データが音として出力されるようにスピーカ５を制御する（ステップＳ１３；第１表示処理）。
【００７５】
本発明の情報処理装置によれば、上記パターンＡ１の場合、ユーザがＴＶボタン４３を操作したとき、ＴＶ表示データ８１が表示装置２に表示される。このように、上記パターンＡ１の場合、ユーザは、ＴＶボタン４３を操作すればよく、本発明の情報処理装置は、ユーザの簡単な操作によりＴＶ表示データ８１を見ることができる。
【００７６】
（パターンＡ２）
ＴＶ部３１とＰＣ部３２との両方が起動していない。このとき、ユーザによりＰＣボタン４２が押下される。検出部１４は、ＰＣボタン４２が押下されたことを検出する（ステップＳ１１−ＹＥＳ）。
起動制御部１５は、検出部１４により検出されたＰＣボタン４２の押下に従って、第１状態遷移データベース７１を参照する。第１状態遷移データベース７１を参照した結果、現在の起動情報がＴＶｏｆｆ、ＰＣｏｆｆであり、現在の表示情報がＢｌａｎｋであるときに、ＰＣボタン４２が押下された場合、次の起動情報がＴＶｏｆｆ、ＰＣｏｎであり、次の表示情報がＰＣである。このとき、起動制御部１５は、ＰＣ部３２を起動するためのＰＣ起動指示をＰＣ部３２に出力し、ＰＣ部３２のＰＣ表示データ８２（図１７参照）を表示装置２に表示するためのＰＣ表示指示を表示制御部１６に出力する。ＰＣ部３２のＣＰＵ２０は、ＰＣ起動指示に応じて、ＰＣ部３２のＰＣ用プログラム２３を起動する。ＣＰＵ２０は、ＰＣ部３２（ＰＣ用プログラム２３）のＰＣ表示データ８２を表示制御部１６に出力する（ステップＳ１２；第１起動処理）。
表示制御部１６は、ＰＣ表示指示に応じて、ＰＣ部３２（ＣＰＵ２０）からのＰＣ表示データ８２が表示されるように表示装置２を制御する（ステップＳ１３；第１表示処理）。
【００７７】
本発明の情報処理装置によれば、上記パターンＡ２の場合、ユーザがＰＣボタン４２を操作したとき、ＰＣ表示データ８２が表示装置２に表示される。このように、上記パターンＡ２の場合、ユーザは、ＰＣボタン４２を操作すればよく、本発明の情報処理装置は、ユーザの簡単な操作によりＰＣ表示データ８２を見ることができる。
【００７８】
（パターンＡ３）
ＴＶ部３１とＰＣ部３２との両方が起動されていない。このとき、ユーザによりＭａｉｎボタン４１が押下される。検出部１４は、Ｍａｉｎボタン４１が押下されたことを検出する（ステップＳ１１−ＹＥＳ）。
起動制御部１５は、検出部１４により検出されたＭａｉｎボタン４１の押下に従って、第１状態遷移データベース７１を参照する。第１状態遷移データベース７１を参照した結果、現在の起動情報がＴＶｏｆｆ、ＰＣｏｆｆであり、現在の表示情報がＢｌａｎｋであるときに、Ｍａｉｎボタン４１が押下された場合、次の起動情報がＴＶｏｎ、ＰＣｏｎであり、次の表示情報がＴＶである。このとき、起動制御部１５は、上記のＴＶ起動指示をＴＶ部３１に出力し、上記のＰＣ起動指示をＰＣ部３２に出力し、上記のＴＶ表示指示を表示制御部１６に出力する。ＴＶ部３１のＣＰＵ１０は、ＴＶ起動指示に応じて、ＴＶ部３１のＴＶ用プログラム１３を起動し、ＰＣ部３２のＣＰＵ２０は、ＰＣ起動指示に応じて、ＰＣ部３２のＰＣ用プログラム２３を起動する（ステップＳ１２；第１起動処理）。
表示制御部１６は、ＴＶ表示指示に応じて、ＴＶ部３１（デコーダ９）からのＴＶ表示データ８１が表示されるように表示装置２を制御し、ＴＶ部３１（デコーダ９）からのアナログ音声データが音として出力されるようにスピーカ５を制御する（ステップＳ１３；第１表示処理）。
【００７９】
ＴＶ部３１はテレビジョンであり、ＰＣ部３２はパーソナルコンピュータであるため、ＰＣ部３２が起動してから、ＰＣ部３２のＰＣ表示データ８２が表示装置２に表示されるまでの起動時間は、ＴＶ部３１が起動してから、ＴＶ表示データ８１が表示装置２に表示されるまでの起動時間よりも長い。表示装置２にＴＶ表示データ８１が表示されたときに、ユーザはＴＶ部３１を利用することができ、表示装置２にＰＣ表示データ８２が表示されたときに、ユーザはＰＣ部３２を利用することができる。
本発明の情報処理装置によれば、上記パターンＡ３の場合、ユーザがＭａｉｎボタン４１を操作したとき、ユーザがＭａｉｎボタン４１を操作してから、ＰＣ部３２が利用可能になるまで、ＴＶ表示データ８１が表示装置２に表示される。このように、上記パターンＡ３の場合、ユーザは、ＰＣ部３２が利用可能になるまでＴＶ部３１を利用することができるため（例示；テレビの視聴）、イライラすることなく、本発明の情報処理装置を利用することができる。
【００８０】
（パターンＡ４、Ａ７）
起動制御部１５は、ＰＣ起動指示をＰＣ部３２に出力し、ＰＣ表示指示を表示制御部１６に出力している。このため、ＴＶ部３１とＰＣ部３２とのうちのＰＣ部３２が起動されていて、ＰＣ表示データ８２が表示装置２に表示されている。この状況は、第１状態遷移データベース７１に記載された現在の起動情報がＴＶｏｆｆ、ＰＣｏｎであり、現在の表示情報がＰＣであるときに対応する。このとき、ユーザによりＰＣボタン４２又はＭａｉｎボタン４１が押下される。検出部１４は、ＰＣボタン４２又はＭａｉｎボタン４１が押下されたことを検出する（ステップＳ１１−ＹＥＳ）。
起動制御部１５は、検出部１４により検出されたＰＣボタン４２又はＭａｉｎボタン４１の押下に従って、第１状態遷移データベース７１を参照する。第１状態遷移データベース７１を参照した結果、現在の起動情報がＴＶｏｆｆ、ＰＣｏｎであり、現在の表示情報がＰＣであるときに、ＰＣボタン４２又はＭａｉｎボタン４１が押下された場合、次の起動情報がＴＶｏｆｆ、ＰＣｏｎ、シャットダウンリクエストであり、次の表示情報がＢｌａｎｋである。このとき、起動制御部１５は、シャットダウン画面（図示しない）を表示装置２に表示するためのシャットダウン指示を表示制御部１６に出力する。シャットダウン画面は、ユーザの操作によりＰＣ部３２の起動を終了するための終了ボタンを含む（ステップＳ１２；第１起動処理）。
表示制御部１６は、シャットダウン指示に応じて、シャットダウン画面が表示されるように表示装置２を制御する。ユーザが、操作装置３（キーボード５１、ポインティングデバイス５２）を用いてシャットダウン画面の終了ボタンを押下した場合、起動制御部１５は、ＰＣ部３２へのＰＣ起動指示の出力を終了し、表示制御部１６へのＰＣ表示指示の出力を終了する（ステップＳ１３；第１表示処理）。
【００８１】
本発明の情報処理装置によれば、上記パターンＡ４、Ａ７の場合、ユーザがＭａｉｎボタン４１又はＰＣボタン４２を操作したとき、ＰＣ表示データ８２の表示が終了する。このように、上記パターンＡ４、Ａ７の場合、本発明の情報処理装置は、ユーザの簡単な操作により、ＰＣ部３２の起動を終了させることができる。
【００８２】
（パターンＡ８）
パターンＡ７のステップＳ１１−ＹＥＳにて、例えばＭａｉｎボタン４１が４秒以上押下されたことを検出部１４が検出した場合、起動制御部１５は、ステップＳ１２にて、ＰＣ部３２へのＰＣ起動指示の出力を終了し、表示制御部１６へのＰＣ表示指示の出力を終了する。この場合、ステップＳ１３は実行されない。
【００８３】
（パターンＡ５）
起動制御部１５は、ＰＣ起動指示をＰＣ部３２に出力し、ＰＣ表示指示を表示制御部１６に出力している。このため、ＴＶ部３１とＰＣ部３２とのうちのＰＣ部３２が起動されていて、ＰＣ表示データ８２が表示装置２に表示されている。このとき、ユーザによりＴＶボタン４３が押下される。検出部１４は、ＴＶボタン４３が押下されたことを検出する（ステップＳ１１−ＹＥＳ）。
起動制御部１５は、検出部１４により検出されたＴＶボタン４３の押下に従って、第１状態遷移データベース７１を参照する。第１状態遷移データベース７１を参照した結果、現在の起動情報がＴＶｏｆｆ、ＰＣｏｎであり、現在の表示情報がＰＣであるときに、ＴＶボタン４３が押下された場合、次の起動情報がＴＶｏｎ、ＰＣｏｎであり、次の表示情報がＴＶである。このとき、起動制御部１５は、更に、ＴＶ起動指示をＴＶ部３１に出力し、ＰＣ表示指示に代えてＴＶ表示指示を表示制御部１６に出力する。ＴＶ部３１のＣＰＵ１０は、ＴＶ起動指示に応じて、ＴＶ部３１のＴＶ用プログラム１３を起動する（ステップＳ１２；第１起動処理）。
表示制御部１６は、ＴＶ表示指示に応じて、ＴＶ部３１（デコーダ９）からのＴＶ表示データ８１が表示されるように表示装置２を制御し、ＴＶ部３１（デコーダ９）からのアナログ音声データが音として出力されるようにスピーカ５を制御する（ステップＳ１３；第１表示処理）。
【００８４】
本発明の情報処理装置によれば、上記パターンＡ５の場合、ユーザがＴＶボタン４３を操作したとき、ＴＶ表示データ８１が表示装置２に表示される。このように、本発明の情報処理装置は、上記パターンＡ５の場合、ユーザの簡単な操作により、ＰＣ表示データ８２からＴＶ表示データ８１に瞬時に切り替えることができる。また、上記パターンＡ５の場合、ユーザは、ＰＣ部３２の起動を終了させずにＴＶ部３１を更に起動させるためにＴＶボタン４３を操作すればよい。このように、上記パターンＡ５の場合、ユーザは、簡単な操作によりＴＶ表示データ８１を見ることができる。
【００８５】
（パターンＡ６）
起動制御部１５は、ＰＣ起動指示をＰＣ部３２に出力し、ＰＣ表示指示を表示制御部１６に出力している。このため、ＴＶ部３１とＰＣ部３２とのうちのＰＣ部３２が起動されていて、ＰＣ表示データ８２が表示装置２に表示されている。このとき、ユーザによりＰＩＰボタン４４が押下される。検出部１４は、ＰＩＰボタン４４が押下されたことを検出する（ステップＳ１１−ＹＥＳ）。
起動制御部１５は、検出部１４により検出されたＰＩＰボタン４４の押下に従って、第１状態遷移データベース７１を参照する。第１状態遷移データベース７１を参照した結果、現在の起動情報がＴＶｏｆｆ、ＰＣｏｎであり、現在の表示情報がＰＣであるときに、ＰＩＰボタン４４が押下された場合、次の起動情報がＴＶｏｎ、ＰＣｏｎであり、次の表示情報がＰｉｎＰ（Ｍａｉｎ；ＰＣ、Ｓｕｂ；ＴＶ）である。このとき、起動制御部１５は、更に、ＴＶ起動指示をＴＶ部３１に出力し、ＴＶｏｎＰＣ表示データ８３（図１８参照）を表示装置２に表示するためのＴＶｏｎＰＣ表示指示を表示制御部１６に出力する。ＴＶｏｎＰＣ表示データ８３は、表示装置２に表示されるＰＣ表示データ８２（親画面又はＭａｉｎ画面）上にＴＶ表示データ８１（子画面又はＳｕｂ画面）を表示するための表示データである。ＰＣ表示データ８２上のＴＶ表示データ８１の表示領域は、ＰＣ表示データ８２の表示領域よりも小さい。ＴＶ部３１のＣＰＵ１０は、ＴＶ起動指示に応じて、ＴＶ部３１のＴＶ用プログラム１３を起動する（ステップＳ１２；第１起動処理）。
表示制御部１６は、ＴＶｏｎＰＣ表示指示に応じて、ＴＶ部３１（デコーダ９）からのＴＶ表示データ８１とＰＣ部３２（ＣＰＵ２０）からのＰＣ表示データ８２とを含むＴＶｏｎＰＣ表示データ８３が表示されるように表示装置２を制御し、ＴＶ部３１（デコーダ９）からのアナログ音声データが音として出力されるようにスピーカ５を制御する（ステップＳ１３；第１表示処理）。
【００８６】
本発明の情報処理装置によれば、上記パターンＡ６の場合、ユーザがＰＩＰボタン４４を操作したとき、ＰＣ表示データ８２上にＴＶ表示データ８１が表示される。このように、本発明の情報処理装置は、上記パターンＡ６の場合、ユーザの簡単な操作により、ＰＣ表示データ８２からＴＶｏｎＰＣ表示データ８３に瞬時に切り替えることができる。また、上記パターンＡ６の場合、ユーザは、ＰＣ部３２が起動しているときにＴＶ部３１を更に起動させるためにＰＩＰボタン４４を操作すればよく、ユーザの簡単な操作によりＴＶｏｎＰＣ表示データ８３を見ることができる。
【００８７】
（パターンＡ９）
起動制御部１５は、ＴＶ起動指示をＴＶ部３１に出力し、ＴＶ表示指示を表示制御部１６に出力している。このため、ＴＶ部３１とＰＣ部３２とのうちのＴＶ部３１が起動されていて、ＴＶ表示データ８１が表示装置２に表示されている。この状況は、第１状態遷移データベース７１に記載された現在の起動情報がＴＶｏｎ、ＰＣｏｆｆであり、現在の表示情報がＴＶ／Ｖｉｄｅｏであるときに対応する。このとき、ユーザによりＰＣボタン４２が押下される。検出部１４は、ＰＣボタン４２が押下されたことを検出する（ステップＳ１１−ＹＥＳ）。
起動制御部１５は、検出部１４により検出されたＰＣボタン４２の押下に従って、第１状態遷移データベース７１を参照する。第１状態遷移データベース７１を参照した結果、現在の起動情報がＴＶｏｎ、ＰＣｏｆｆであり、現在の表示情報がＴＶ／Ｖｉｄｅｏであるときに、ＰＣボタン４２が押下された場合、次の起動情報がＴＶｏｎ、ＰＣｏｎであり、次の表示情報がＴＶである。このとき、起動制御部１５は、更に、ＰＣ起動指示をＰＣ部３２に出力し、ＴＶ表示指示に代えてＰＣ表示指示を表示制御部１６に出力する。ＰＣ部３２のＣＰＵ２０は、ＰＣ起動指示に応じて、ＰＣ部３２のＰＣ用プログラム２３を起動する（ステップＳ１２；第１起動処理）。
表示制御部１６は、ＰＣ表示指示に応じて、ＰＣ部３２（ＣＰＵ２０）からのＰＣ表示データ８２が表示されるように表示装置２を制御する（ステップＳ１３；第１表示処理）。
【００８８】
本発明の情報処理装置によれば、上記パターンＡ９の場合、ユーザがＰＣボタン４２を操作したとき、ＰＣ表示データ８２が表示装置２に表示される。このように、本発明の情報処理装置は、上記パターンＡ９の場合、ユーザの簡単な操作により、ＴＶ表示データ８１からＰＣ表示データ８２に瞬時に切り替えることができる。また、上記パターンＡ９の場合、ユーザは、ＴＶ部３１の起動を終了させずにＰＣ部３２を更に起動させるためにＰＣボタン４２を操作すればよい。このように、上記パターンＡ９の場合、ユーザは、簡単な操作によりＰＣ表示データ８２を見ることができる。
【００８９】
（パターンＡ１０、Ａ１２）
起動制御部１５は、ＴＶ起動指示をＴＶ部３１に出力し、ＴＶ表示指示を表示制御部１６に出力している。このため、ＴＶ部３１とＰＣ部３２とのうちのＴＶ部３１が起動されていて、ＴＶ表示データ８１が表示装置２に表示されている。このとき、ユーザによりＴＶボタン４３又はＭａｉｎボタン４１が押下される。検出部１４は、ＴＶボタン４３又はＭａｉｎボタン４１が押下されたことを検出する（ステップＳ１１−ＹＥＳ）。
起動制御部１５は、検出部１４により検出されたＰＣボタン４２又はＭａｉｎボタン４１の押下に従って、第１状態遷移データベース７１を参照する。第１状態遷移データベース７１を参照した結果、現在の起動情報がＴＶｏｎ、ＰＣｏｆｆであり、現在の表示情報がＴＶ／Ｖｉｄｅｏであるときに、ＴＶボタン４３又はＭａｉｎボタン４１が押下された場合、次の起動情報がＴＶｏｆｆ、ＰＣｏｆｆであり、次の表示情報がＢｌａｎｋである。このとき、起動制御部１５は、ＴＶ部３１へのＴＶ起動指示の出力を終了し、表示制御部１６へのＴＶ表示指示の出力を終了する。この場合、ステップＳ１３は実行されない。
【００９０】
本発明の情報処理装置によれば、上記パターンＡ１０、Ａ１２の場合、ユーザがＭａｉｎボタン４１又はＴＶボタン４３を操作したとき、ＴＶ表示データ８１の表示が終了する。このように、上記パターンＡ１０、Ａ１２の場合、本発明の情報処理装置は、ユーザの簡単な操作により、ＴＶ部３１の起動を終了させることができる。
【００９１】
（パターンＡ１１）
起動制御部１５は、ＴＶ起動指示をＴＶ部３１に出力し、ＴＶ表示指示を表示制御部１６に出力している。このため、ＴＶ部３１とＰＣ部３２とのうちのＴＶ部３１が起動されていて、ＴＶ表示データ８１が表示装置２に表示されている。このとき、ユーザによりＰＩＰボタン４４が押下される。検出部１４は、ＰＩＰボタン４４が押下されたことを検出する（ステップＳ１１−ＹＥＳ）。
起動制御部１５は、検出部１４により検出されたＰＩＰボタン４４の押下に従って、第１状態遷移データベース７１を参照する。第１状態遷移データベース７１を参照した結果、現在の起動情報がＴＶｏｎ、ＰＣｏｆｆであり、現在の表示情報がＴＶ／Ｖｉｄｅｏであるときに、ＰＩＰボタン４４が押下された場合、次の起動情報がＴＶｏｎ、ＰＣｏｎであり、次の表示情報がＰｉｎＰ（Ｍａｉｎ；ＴＶ、Ｓｕｂ；ＰＣ）である。このとき、起動制御部１５は、更に、ＰＣ起動指示をＰＣ部３２に出力し、ＰＣｏｎＴＶ表示データ８４（図１９参照）を表示装置２に表示するためのＰＣｏｎＴＶ表示指示を表示制御部１６に出力する。ＰＣｏｎＴＶ表示データ８４は、表示装置２に表示されるＴＶ表示データ８１（親画面又はＭａｉｎ画面）上にＰＣ表示データ８２（子画面又はＳｕｂ画面）を表示するための表示データである。ＴＶ表示データ８１上のＰＣ表示データ８２の表示領域は、ＴＶ表示データ８１の表示領域よりも小さい。ＰＣ部３２のＣＰＵ２０は、ＰＣ起動指示に応じて、ＰＣ部３２のＰＣ用プログラム２３を起動する（ステップＳ１２；第１起動処理）。
表示制御部１６は、ＰＣｏｎＴＶ表示指示に応じて、ＴＶ部３１（デコーダ９）からのＴＶ表示データ８１とＰＣ部３２（ＣＰＵ２０）からのＰＣ表示データ８２とを含むＰＣｏｎＴＶ表示データ８４が表示されるように表示装置２を制御し、ＴＶ部３１（デコーダ９）からのアナログ音声データが音として出力されるようにスピーカ５を制御する（ステップＳ１３；第１表示処理）。
【００９２】
本発明の情報処理装置によれば、上記パターンＡ１１の場合、ユーザがＰＩＰボタン４４を操作したとき、ＴＶ表示データ８１上にＰＣ表示データ８２が表示される。このように、本発明の情報処理装置は、上記パターンＡ１１の場合、ユーザの簡単な操作により、ＴＶ表示データ８１からＰＣｏｎＴＶ表示データ８４に瞬時に切り替えることができる。また、上記パターンＡ１１の場合、ユーザは、ＴＶ部３１が起動しているときにＰＣ部３２を更に起動させるためにＰＩＰボタン４４を操作すればよく、簡単な操作によりＰＣｏｎＴＶ表示データ８４を見ることができる。
【００９３】
（パターンＡ１３）
起動制御部１５は、ＴＶ起動指示をＴＶ部３１に出力し、ＰＣ起動指示をＰＣ部３２に出力し、ＴＶ表示指示を表示制御部１６に出力している。このため、ＴＶ部３１とＰＣ部３２とが起動されていて、ＴＶ表示データ８１が表示装置２に表示されている。この状況は、第１状態遷移データベース７１に記載された現在の起動情報がＴＶｏｎ、ＰＣｏｎであり、現在の表示情報がＴＶ／Ｖｉｄｅｏであるときに対応する。このとき、ユーザによりＰＣボタン４２が押下される。検出部１４は、ＰＣボタン４２が押下されたことを検出する（ステップＳ１１−ＹＥＳ）。
起動制御部１５は、検出部１４により検出されたＰＣボタン４２の押下に従って、第１状態遷移データベース７１を参照する。第１状態遷移データベース７１を参照した結果、現在の起動情報がＴＶｏｎ、ＰＣｏｎであり、現在の表示情報がＴＶ／Ｖｉｄｅｏであるときに、ＰＣボタン４２が押下された場合、次の起動情報がＴＶｏｎ、ＰＣｏｎであり、次の表示情報がＰＣである。このとき、起動制御部１５は、ＴＶ表示指示に代えてＰＣ表示指示を表示制御部１６に出力する（ステップＳ１２；第１起動処理）。
表示制御部１６は、ＰＣ表示指示に応じて、ＰＣ部３２（ＣＰＵ２０）からのＰＣ表示データ８２が表示されるように表示装置２を制御する（ステップＳ１３；第１表示処理）。
【００９４】
本発明の情報処理装置によれば、上記パターンＡ１３の場合、ユーザがＰＣボタン４２を操作したとき、ＰＣ表示データ８２が表示装置２に表示される。このように、本発明の情報処理装置は、上記パターンＡ１３の場合、ユーザの簡単な操作により、ＴＶ表示データ８１からＰＣ表示データ８２に瞬時に切り替えることができる。また、上記パターンＡ１３の場合、ユーザは、簡単な操作によりＰＣ表示データ８２を見ることができる。
【００９５】
（パターンＡ１４）
起動制御部１５は、ＴＶ起動指示をＴＶ部３１に出力し、ＰＣ起動指示をＰＣ部３２に出力し、ＴＶ表示指示を表示制御部１６に出力している。このため、ＴＶ部３１とＰＣ部３２とが起動されていて、ＴＶ表示データ８１が表示装置２に表示されている。このとき、ユーザによりＴＶボタン４３が押下される。検出部１４は、ＴＶボタン４３が押下されたことを検出する（ステップＳ１１−ＹＥＳ）。
起動制御部１５は、検出部１４により検出されたＴＶボタン４３の押下に従って、第１状態遷移データベース７１を参照する。第１状態遷移データベース７１を参照した結果、現在の起動情報がＴＶｏｎ、ＰＣｏｎであり、現在の表示情報がＴＶ／Ｖｉｄｅｏであるときに、ＴＶボタン４３が押下された場合、次の起動情報がＴＶｏｎ、ＰＣｏｎであり、次の表示情報がＴＶである。このとき、起動制御部１５は、ＴＶ部３１へのＴＶ起動指示の出力を終了し、ＴＶ表示指示に代えてＰＣ表示指示を表示制御部１６に出力する（ステップＳ１２；第１起動処理）。
表示制御部１６は、ＰＣ表示指示に応じて、ＰＣ部３２（ＣＰＵ２０）からのＰＣ表示データ８２が表示されるように表示装置２を制御する（ステップＳ１３；第１表示処理）。
【００９６】
本発明の情報処理装置によれば、上記パターンＡ１４の場合、ユーザがＴＶボタン４３を操作したとき、ＴＶ部３１の起動が終了し、ＰＣ表示データ８２が表示装置２に表示される。このように、上記パターンＡ１４の場合、本発明の情報処理装置は、ユーザの簡単な操作により、ＴＶ部３１の起動を終了させ、且つ、ＴＶ表示データ８１からＰＣ表示データ８２に瞬時に切り替えることができる。
【００９７】
（パターンＡ１５）
起動制御部１５は、ＴＶ起動指示をＴＶ部３１に出力し、ＰＣ起動指示をＰＣ部３２に出力し、ＴＶ表示指示を表示制御部１６に出力している。このため、ＴＶ部３１とＰＣ部３２とが起動されていて、ＴＶ表示データ８１が表示装置２に表示されている。このとき、ユーザによりＰＩＰボタン４４が押下される。検出部１４は、ＰＩＰボタン４４が押下されたことを検出する（ステップＳ１１−ＹＥＳ）。
起動制御部１５は、検出部１４により検出されたＰＩＰボタン４４の押下に従って、第１状態遷移データベース７１を参照する。第１状態遷移データベース７１を参照した結果、現在の起動情報がＴＶｏｎ、ＰＣｏｎであり、現在の表示情報がＴＶ／Ｖｉｄｅｏであるときに、ＰＩＰボタン４４が押下された場合、次の起動情報がＴＶｏｎ、ＰＣｏｎであり、次の表示情報がＰｉｎＰ（Ｍａｉｎ；ＴＶ、Ｓｕｂ；ＰＣ）である。このとき、起動制御部１５は、ＴＶ表示指示に代えてＰＣｏｎＴＶ表示指示を表示制御部１６に出力する（ステップＳ１２；第１起動処理）。
表示制御部１６は、ＰＣｏｎＴＶ表示指示に応じて、ＴＶ部３１（デコーダ９）からのＴＶ表示データ８１とＰＣ部３２（ＣＰＵ２０）からのＰＣ表示データ８２とを含むＰＣｏｎＴＶ表示データ８４が表示されるように表示装置２を制御し、ＴＶ部３１（デコーダ９）からのアナログ音声データが音として出力されるようにスピーカ５を制御する（ステップＳ１３；第１表示処理）。
【００９８】
本発明の情報処理装置によれば、上記パターンＡ１５の場合、ユーザがＰＩＰボタン４４を操作したとき、ＴＶ表示データ８１上にＰＣ表示データ８２が表示される。このように、本発明の情報処理装置は、上記パターンＡ１５の場合、ユーザの簡単な操作により、ＴＶ表示データ８１からＰＣｏｎＴＶ表示データ８４に瞬時に切り替えることができる。また、上記パターンＡ１５の場合、ユーザは、簡単な操作によりＰＣｏｎＴＶ表示データ８４を見ることができる。
【００９９】
（パターンＡ１６）
起動制御部１５は、ＴＶ起動指示をＴＶ部３１に出力し、ＰＣ起動指示をＰＣ部３２に出力し、ＴＶ表示指示を表示制御部１６に出力している。このため、ＴＶ部３１とＰＣ部３２とが起動されていて、ＴＶ表示データ８１が表示装置２に表示されている。このとき、ユーザによりＭａｉｎボタン４１が押下される。検出部１４は、Ｍａｉｎボタン４１が押下されたことを検出する（ステップＳ１１−ＹＥＳ）。
起動制御部１５は、検出部１４により検出されたＭａｉｎボタン４１の押下に従って、第１状態遷移データベース７１を参照する。第１状態遷移データベース７１を参照した結果、現在の起動情報がＴＶｏｎ、ＰＣｏｎであり、現在の表示情報がＴＶ／Ｖｉｄｅｏであるときに、Ｍａｉｎボタン４１が押下された場合、次の起動情報がＴＶｏｆｆ、ＰＣｏｎ、シャットダウンリクエストであり、次の表示情報がＢｌａｎｋである。このとき、起動制御部１５は、ＴＶ部３１へのＴＶ起動指示の出力を終了し、シャットダウン指示を表示制御部１６に出力する（ステップＳ１２；第１起動処理）。
表示制御部１６は、シャットダウン指示に応じて、シャットダウン画面が表示されるように表示装置２を制御する。ユーザが、操作装置３（キーボード５１、ポインティングデバイス５２）を用いてシャットダウン画面の終了ボタンを押下した場合、起動制御部１５は、ＰＣ部３２へのＰＣ起動指示の出力を終了し、表示制御部１６へのＰＣ表示指示の出力を終了する（ステップＳ１３；第１表示処理）。
【０１００】
本発明の情報処理装置によれば、上記パターンＡ１６の場合、ユーザがＭａｉｎボタン４１を操作したとき、ＴＶ表示データ８１の表示が終了し、ＴＶ部３１とＰＣ部３２との起動が終了する。このように、上記パターンＡ１６の場合、本発明の情報処理装置は、ユーザの簡単な操作により、ＴＶ部３１とＰＣ部３２との起動を終了させることができる。
【０１０１】
（パターンＡ１７）
パターンＡ１６のステップＳ１１−ＹＥＳにて、例えばＭａｉｎボタン４１が４秒以上押下されたことを検出部１４が検出した場合、起動制御部１５は、ステップＳ１２にて、ＴＶ部３１へのＴＶ起動指示の出力を終了し、ＰＣ部３２へのＰＣ起動指示の出力を終了し、表示制御部１６へのＰＣ表示指示の出力を終了する。この場合、ステップＳ１３は実行されない。
【０１０２】
（パターンＡ１８、Ａ２０）
起動制御部１５は、ＴＶ起動指示をＴＶ部３１に出力し、ＰＣ起動指示をＰＣ部３２に出力し、ＰＣｏｎＴＶ表示指示を表示制御部１６に出力している。このため、ＴＶ部３１とＰＣ部３２とが起動されていて、ＰＣｏｎＴＶ表示データ８４が表示装置２に表示されている。この状況は、第１状態遷移データベース７１に記載された現在の起動情報がＴＶｏｎ、ＰＣｏｎであり、現在の表示情報がＰｉｎＰ（Ｍａｉｎ；ＴＶ、Ｓｕｂ；ＰＣ）であるときに対応する。このとき、ユーザによりＰＣボタン４２又はＰＩＰボタン４４が押下される。検出部１４は、ＰＣボタン４２又はＰＩＰボタン４４が押下されたことを検出する（ステップＳ１１−ＹＥＳ）。
起動制御部１５は、検出部１４により検出されたＰＣボタン４２又はＰＩＰボタン４４の押下に従って、第１状態遷移データベース７１を参照する。第１状態遷移データベース７１を参照した結果、現在の起動情報がＴＶｏｎ、ＰＣｏｎであり、現在の表示情報がＰｉｎＰ（Ｍａｉｎ；ＴＶ、Ｓｕｂ；ＰＣ）であるときに、ＰＣボタン４２又はＰＩＰボタン４４が押下された場合、次の起動情報がＴＶｏｎ、ＰＣｏｎであり、次の表示情報がＰＣである。このとき、起動制御部１５は、ＰＣｏｎＴＶ表示指示に代えてＰＣ表示指示を表示制御部１６に出力する（ステップＳ１２；第１起動処理）。
表示制御部１６は、ＰＣ表示指示に応じて、ＰＣ部３２（ＣＰＵ２０）からのＰＣ表示データ８２が表示されるように表示装置２を制御する（ステップＳ１３；第１表示処理）。
【０１０３】
本発明の情報処理装置によれば、上記パターンＡ１８、Ａ２０の場合、ユーザがＰＣボタン４２又はＰＩＰボタン４４を操作したとき、ＰＣ表示データ８２が表示装置２に表示される。このように、本発明の情報処理装置は、上記パターンＡ１８、Ａ２０の場合、ユーザの簡単な操作により、ＰＣｏｎＴＶ表示データ８４からＰＣ表示データ８２に瞬時に切り替えることができる。また、上記パターンＡ１８、Ａ２０の場合、ユーザは、簡単な操作によりＰＣ表示データ８２を見ることができる。
【０１０４】
（パターンＡ１９）
起動制御部１５は、ＴＶ起動指示をＴＶ部３１に出力し、ＰＣ起動指示をＰＣ部３２に出力し、ＰＣｏｎＴＶ表示指示を表示制御部１６に出力している。このため、ＴＶ部３１とＰＣ部３２とが起動されていて、ＰＣｏｎＴＶ表示データ８４が表示装置２に表示されている。このとき、ユーザによりＴＶボタン４３が押下される。検出部１４は、ＴＶボタン４３が押下されたことを検出する（ステップＳ１１−ＹＥＳ）。
起動制御部１５は、検出部１４により検出されたＴＶボタン４３の押下に従って、第１状態遷移データベース７１を参照する。第１状態遷移データベース７１を参照した結果、現在の起動情報がＴＶｏｎ、ＰＣｏｎであり、現在の表示情報がＰｉｎＰ（Ｍａｉｎ；ＴＶ、Ｓｕｂ；ＰＣ）であるときに、ＴＶボタン４３が押下された場合、次の起動情報がＴＶｏｎ、ＰＣｏｎであり、次の表示情報がＴＶである。このとき、起動制御部１５は、ＰＣｏｎＴＶ表示指示に代えてＴＶ表示指示を表示制御部１６に出力する（ステップＳ１２；第１起動処理）。
表示制御部１６は、ＴＶ表示指示に応じて、ＴＶ部３１（ＣＰＵ１０）からのＰＣ表示データ８１が表示されるように表示装置２を制御する（ステップＳ１３；第１表示処理）。
【０１０５】
本発明の情報処理装置によれば、上記パターンＡ１９の場合、ユーザがＴＶボタン４３を操作したとき、ＴＶ表示データ８１が表示装置２に表示される。このように、本発明の情報処理装置は、上記パターンＡ１９の場合、ユーザの簡単な操作により、ＰＣｏｎＴＶ表示データ８４からＴＶ表示データ８１に瞬時に切り替えることができる。また、上記パターンＡ１９の場合、ユーザは、簡単な操作によりＴＶ表示データ８１を見ることができる。
【０１０６】
（パターンＡ２１）
起動制御部１５は、ＴＶ起動指示をＴＶ部３１に出力し、ＰＣ起動指示をＰＣ部３２に出力し、ＰＣｏｎＴＶ表示指示を表示制御部１６に出力している。このため、ＴＶ部３１とＰＣ部３２とが起動されていて、ＰＣｏｎＴＶ表示データ８４が表示装置２に表示されている。このとき、ユーザによりＭａｉｎボタン４１が押下される。検出部１４は、Ｍａｉｎボタン４１が押下されたことを検出する（ステップＳ１１−ＹＥＳ）。
起動制御部１５は、検出部１４により検出されたＭａｉｎボタン４１の押下に従って、第１状態遷移データベース７１を参照する。第１状態遷移データベース７１を参照した結果、現在の起動情報がＴＶｏｎ、ＰＣｏｎであり、現在の表示情報がＰｉｎＰ（Ｍａｉｎ；ＴＶ、Ｓｕｂ；ＰＣ）であるときに、Ｍａｉｎボタン４１が押下された場合、次の起動情報がＴＶｏｆｆ、ＰＣｏｎ、シャットダウンリクエストであり、次の表示情報がＢｌａｎｋである。このとき、起動制御部１５は、ＴＶ部３１へのＴＶ起動指示の出力を終了し、シャットダウン指示を表示制御部１６に出力する（ステップＳ１２；第１起動処理）。
表示制御部１６は、シャットダウン指示に応じて、シャットダウン画面が表示されるように表示装置２を制御する。ユーザが、操作装置３（キーボード５１、ポインティングデバイス５２）を用いてシャットダウン画面の終了ボタンを押下した場合、起動制御部１５は、ＰＣ部３２へのＰＣ起動指示の出力を終了し、表示制御部１６へのＰＣ表示指示の出力を終了する（ステップＳ１３；第１表示処理）。
【０１０７】
本発明の情報処理装置によれば、上記パターンＡ２１の場合、ユーザがＭａｉｎボタン４１を操作したとき、ＰＣｏｎＴＶ表示データ８４の表示が終了し、ＴＶ部３１とＰＣ部３２との起動が終了する。このように、上記パターンＡ２１の場合、本発明の情報処理装置は、ユーザの簡単な操作により、ＴＶ部３１とＰＣ部３２との起動を終了させることができる。
【０１０８】
（パターンＡ２２）
パターンＡ２１のステップＳ１１−ＹＥＳにて、例えばＭａｉｎボタン４１が４秒以上押下されたことを検出部１４が検出した場合、起動制御部１５は、ステップＳ１２にて、ＴＶ部３１へのＴＶ起動指示の出力を終了し、ＰＣ部３２へのＰＣ起動指示の出力を終了し、表示制御部１６へのＰＣ表示指示の出力を終了する。この場合、ステップＳ１３は実行されない。
【０１０９】
（パターンＡ２３）
起動制御部１５は、ＴＶ起動指示をＴＶ部３１に出力し、ＰＣ起動指示をＰＣ部３２に出力し、ＰＣ表示指示を表示制御部１６に出力している。このため、ＴＶ部３１とＰＣ部３２とが起動されていて、ＰＣ表示データ８２が表示装置２に表示されている。この状況は、第１状態遷移データベース７１に記載された現在の起動情報がＴＶｏｎ、ＰＣｏｎであり、現在の表示情報がＰＣであるときに対応する。このとき、ユーザによりＰＣボタン４２が押下される。検出部１４は、ＰＣボタン４２が押下されたことを検出する（ステップＳ１１−ＹＥＳ）。
起動制御部１５は、検出部１４により検出されたＰＣボタン４２の押下に従って、第１状態遷移データベース７１を参照する。第１状態遷移データベース７１を参照した結果、現在の起動情報がＴＶｏｎ、ＰＣｏｎであり、現在の表示情報がＰＣであるときに、ＰＣボタン４２が押下された場合、次の起動情報がＴＶｏｎ、ＰＣｏｎ、シャットダウンリクエストであり、次の表示情報がＴＶである。このとき、起動制御部１５は、シャットダウン指示を表示制御部１６に出力する（ステップＳ１２；第１起動処理）。
表示制御部１６は、シャットダウン指示に応じて、シャットダウン画面が表示されるように表示装置２を制御する。ユーザが、操作装置３（キーボード５１、ポインティングデバイス５２）を用いてシャットダウン画面の終了ボタンを押下した場合、起動制御部１５は、ＰＣ部３２へのＰＣ起動指示の出力を終了し、ＰＣ表示指示に代えてＴＶ表示指示を表示制御部１６に出力する。表示制御部１６は、ＴＶ表示指示に応じて、ＴＶ部３１（ＣＰＵ１０）からのＴＶ表示データ８１が表示されるように表示装置２を制御し、ＴＶ部３１（デコーダ９）からのアナログ音声データが音として出力されるようにスピーカ５を制御する（ステップＳ１３；第１表示処理）。
【０１１０】
本発明の情報処理装置によれば、上記パターンＡ２３の場合、ユーザがＰＣボタン４２を操作したとき、ＰＣ部３２の起動が終了し、ＴＶ表示データ８１が表示装置２に表示される。このように、上記パターンＡ２３の場合、本発明の情報処理装置は、ユーザの簡単な操作により、ＰＣ部３２の起動を終了させ、且つ、ＰＣ表示データ８２からＴＶ表示データ８１に瞬時に切り替えることができる。
【０１１１】
（パターンＡ２４）
起動制御部１５は、ＴＶ起動指示をＴＶ部３１に出力し、ＰＣ起動指示をＰＣ部３２に出力し、ＰＣ表示指示を表示制御部１６に出力している。このため、ＴＶ部３１とＰＣ部３２とが起動されていて、ＰＣ表示データ８２が表示装置２に表示されている。このとき、ユーザによりＴＶボタン４３が押下される。検出部１４は、ＴＶボタン４３が押下されたことを検出する（ステップＳ１１−ＹＥＳ）。
起動制御部１５は、検出部１４により検出されたＴＶボタン４３の押下に従って、第１状態遷移データベース７１を参照する。第１状態遷移データベース７１を参照した結果、現在の起動情報がＴＶｏｎ、ＰＣｏｎであり、現在の表示情報がＰＣであるときに、ＴＶボタン４３が押下された場合、次の起動情報がＴＶｏｎ、ＰＣｏｎであり、次の表示情報がＴＶである。このとき、起動制御部１５は、ＴＶ部３１へのＰＣ起動指示の出力を終了し、ＰＣ表示指示に代えてＴＶ表示指示を表示制御部１６に出力する（ステップＳ１２；第１起動処理）。
表示制御部１６は、ＴＶ表示指示に応じて、ＴＶ部３１（ＣＰＵ１０）からのＴＶ表示データ８１が表示されるように表示装置２を制御し、ＴＶ部３１（デコーダ９）からのアナログ音声データが音として出力されるようにスピーカ５を制御する（ステップＳ１３；第１表示処理）。
【０１１２】
本発明の情報処理装置によれば、上記パターンＡ２４の場合、ユーザがＴＶボタン４３を操作したとき、ＴＶ表示データ８１が表示装置２に表示される。このように、本発明の情報処理装置は、上記パターンＡ２４の場合、ユーザの簡単な操作により、ＰＣ表示データ８２からＴＶ表示データ８１に瞬時に切り替えることができる。また、上記パターンＡ２４の場合、ユーザは、簡単な操作によりＴＶ表示データ８１を見ることができる。
【０１１３】
（パターンＡ２５）
起動制御部１５は、ＴＶ起動指示をＴＶ部３１に出力し、ＰＣ起動指示をＰＣ部３２に出力し、ＰＣ表示指示を表示制御部１６に出力している。このため、ＴＶ部３１とＰＣ部３２とが起動されていて、ＰＣ表示データ８２が表示装置２に表示されている。このとき、ユーザによりＰＩＰボタン４４が押下される。検出部１４は、ＰＩＰボタン４４が押下されたことを検出する（ステップＳ１１−ＹＥＳ）。
起動制御部１５は、検出部１４により検出されたＰＩＰボタン４４の押下に従って、第１状態遷移データベース７１を参照する。第１状態遷移データベース７１を参照した結果、現在の起動情報がＴＶｏｎ、ＰＣｏｎであり、現在の表示情報がＰＣであるときに、ＰＩＰボタン４４が押下された場合、次の起動情報がＴＶｏｎ、ＰＣｏｎであり、次の表示情報がＰｉｎＰ（Ｍａｉｎ；ＰＣ、Ｓｕｂ；ＴＶ）である。このとき、起動制御部１５は、ＰＣ表示指示に代えてＴＶｏｎＰＣ表示指示を表示制御部１６に出力する（ステップＳ１２；第１起動処理）。
表示制御部１６は、ＴＶｏｎＰＣ表示指示に応じて、ＴＶ部３１（デコーダ９）からのＴＶ表示データ８１とＰＣ部３２（ＣＰＵ２０）からのＰＣ表示データ８２とを含むＴＶｏｎＰＣ表示データ８３が表示されるように表示装置２を制御し、ＴＶ部３１（デコーダ９）からのアナログ音声データが音として出力されるようにスピーカ５を制御する（ステップＳ１３；第１表示処理）。
【０１１４】
本発明の情報処理装置によれば、上記パターンＡ２５の場合、ユーザがＰＩＰボタン４４を操作したとき、ＰＣ表示データ８２上にＴＶ表示データ８１が表示される。このように、本発明の情報処理装置は、上記パターンＡ２５の場合、ユーザの簡単な操作により、ＰＣ表示データ８２からＴＶｏｎＰＣ表示データ８３に瞬時に切り替えることができる。また、上記パターンＡ２５の場合、ユーザは、簡単な操作によりＴＶｏｎＰＣ表示データ８３を見ることができる。
【０１１５】
（パターンＡ２６）
起動制御部１５は、ＴＶ起動指示をＴＶ部３１に出力し、ＰＣ起動指示をＰＣ部３２に出力し、ＰＣ表示指示を表示制御部１６に出力している。このため、ＴＶ部３１とＰＣ部３２とが起動されていて、ＰＣ表示データ８２が表示装置２に表示されている。このとき、ユーザによりＭａｉｎボタン４１が押下される。検出部１４は、Ｍａｉｎボタン４１が押下されたことを検出する（ステップＳ１１−ＹＥＳ）。
起動制御部１５は、検出部１４により検出されたＭａｉｎボタン４１の押下に従って、第１状態遷移データベース７１を参照する。第１状態遷移データベース７１を参照した結果、現在の起動情報がＴＶｏｎ、ＰＣｏｎであり、現在の表示情報がＰＣであるときに、Ｍａｉｎボタン４１が押下された場合、次の起動情報がＴＶｏｆｆ、ＰＣｏｎ、シャットダウンリクエストであり、次の表示情報がＢｌａｎｋである。このとき、起動制御部１５は、ＴＶ部３１へのＴＶ起動指示の出力を終了し、シャットダウン指示を表示制御部１６に出力する（ステップＳ１２；第１起動処理）。
表示制御部１６は、シャットダウン指示に応じて、シャットダウン画面が表示されるように表示装置２を制御する。ユーザが、操作装置３（キーボード５１、ポインティングデバイス５２）を用いてシャットダウン画面の終了ボタンを押下した場合、起動制御部１５は、ＰＣ部３２へのＰＣ起動指示の出力を終了し、表示制御部１６へのＰＣ表示指示の出力を終了する（ステップＳ１３；第１表示処理）。
【０１１６】
本発明の情報処理装置によれば、上記パターンＡ２６の場合、ユーザがＭａｉｎボタン４１を操作したとき、ＴＶ表示データ８１の表示が終了し、ＴＶ部３１とＰＣ部３２との起動が終了する。このように、上記パターンＡ２６の場合、本発明の情報処理装置は、ユーザの簡単な操作により、ＴＶ部３１とＰＣ部３２との起動を終了させることができる。
【０１１７】
（パターンＡ２７）
パターンＡ２６のステップＳ１１−ＹＥＳにて、例えばＭａｉｎボタン４１が４秒以上押下されたことを検出部１４が検出した場合、起動制御部１５は、ステップＳ１２にて、ＴＶ部３１へのＴＶ起動指示の出力を終了し、ＰＣ部３２へのＰＣ起動指示の出力を終了し、表示制御部１６へのＰＣ表示指示の出力を終了する。この場合、ステップＳ１３は実行されない。
【０１１８】
（パターンＡ２８）
起動制御部１５は、ＴＶ起動指示をＴＶ部３１に出力し、ＰＣ起動指示をＰＣ部３２に出力し、ＴＶｏｎＰＣ表示指示を表示制御部１６に出力している。このため、ＴＶ部３１とＰＣ部３２とが起動されていて、ＴＶｏｎＰＣ表示データ８３が表示装置２に表示されている。この状況は、第１状態遷移データベース７１に記載された現在の起動情報がＴＶｏｎ、ＰＣｏｎであり、現在の表示情報がＰｉｎＰ（Ｍａｉｎ；ＰＣ、Ｓｕｂ；ＴＶ）であるときに対応する。このとき、ユーザによりＰＣボタン４２が押下される。検出部１４は、ＰＣボタン４２が押下されたことを検出する（ステップＳ１１−ＹＥＳ）。
起動制御部１５は、検出部１４により検出されたＰＣボタン４２の押下に従って、第１状態遷移データベース７１を参照する。第１状態遷移データベース７１を参照した結果、現在の起動情報がＴＶｏｎ、ＰＣｏｎであり、現在の表示情報がＰｉｎＰ（Ｍａｉｎ；ＰＣ、Ｓｕｂ；ＴＶ）であるときに、ＰＣボタン４２が押下された場合、次の起動情報がＴＶｏｎ、ＰＣｏｎであり、次の表示情報がＰＣである。このとき、起動制御部１５は、ＴＶｏｎＰＣ表示指示に代えてＰＣ表示指示を表示制御部１６に出力する（ステップＳ１２；第１起動処理）。
表示制御部１６は、ＰＣ表示指示に応じて、ＰＣ部３２（ＣＰＵ２０）からのＰＣ表示データ８２が表示されるように表示装置２を制御する（ステップＳ１３；第１表示処理）。
【０１１９】
本発明の情報処理装置によれば、上記パターンＡ２８の場合、ユーザがＰＣボタン４２を操作したとき、ＰＣ表示データ８２が表示装置２に表示される。このように、本発明の情報処理装置は、上記パターンＡ２８の場合、ユーザの簡単な操作により、ＴＶｏｎＰＣ表示データ８３からＰＣ表示データ８２に瞬時に切り替えることができる。また、上記パターンＡ２８の場合、ユーザは、簡単な操作によりＰＣ表示データ８２を見ることができる。
【０１２０】
（パターンＡ２９、Ａ３０）
起動制御部１５は、ＴＶ起動指示をＴＶ部３１に出力し、ＰＣ起動指示をＰＣ部３２に出力し、ＴＶｏｎＰＣ表示指示を表示制御部１６に出力している。このため、ＴＶ部３１とＰＣ部３２とが起動されていて、ＴＶｏｎＰＣ表示データ８３が表示装置２に表示されている。このとき、ユーザによりＴＶボタン４３又はＰＩＰボタン４４が押下される。検出部１４は、ＴＶボタン４３又はＰＩＰボタン４４が押下されたことを検出する（ステップＳ１１−ＹＥＳ）。
起動制御部１５は、検出部１４により検出されたＴＶボタン４３又はＰＩＰボタン４４の押下に従って、第１状態遷移データベース７１を参照する。第１状態遷移データベース７１を参照した結果、現在の起動情報がＴＶｏｎ、ＰＣｏｎであり、現在の表示情報がＰｉｎＰ（Ｍａｉｎ；ＰＣ、Ｓｕｂ；ＴＶ）であるときに、ＴＶボタン４３又はＰＩＰボタン４４が押下された場合、次の起動情報がＴＶｏｎ、ＰＣｏｎであり、次の表示情報がＴＶである。このとき、起動制御部１５は、ＴＶｏｎＰＣ表示指示に代えてＴＶ表示指示を表示制御部１６に出力する（ステップＳ１２；第１起動処理）。
表示制御部１６は、ＴＶ表示指示に応じて、ＴＶ部３１（デコーダ９）からのＴＶ表示データ８１が表示されるように表示装置２を制御し、ＴＶ部３１（デコーダ９）からのアナログ音声データが音として出力されるようにスピーカ５を制御する（ステップＳ１３；第１表示処理）。
【０１２１】
本発明の情報処理装置によれば、上記パターンＡ２９、Ａ３０の場合、ユーザがＴＶボタン４３又はＰＩＰボタン４４を操作したとき、ＴＶ表示データ８１が表示装置２に表示される。このように、本発明の情報処理装置は、上記パターンＡ２９、Ａ３０の場合、ユーザの簡単な操作により、ＴＶｏｎＰＣ表示データ８３からＴＶ表示データ８１に瞬時に切り替えることができる。また、上記パターンＡ２９、Ａ３０の場合、ユーザは、簡単な操作によりＴＶ表示データ８１を見ることができる。
【０１２２】
（パターンＡ３１）
起動制御部１５は、ＴＶ起動指示をＴＶ部３１に出力し、ＰＣ起動指示をＰＣ部３２に出力し、ＴＶｏｎＰＣ表示指示を表示制御部１６に出力している。このため、ＴＶ部３１とＰＣ部３２とが起動されていて、ＴＶｏｎＰＣ表示データ８３が表示装置２に表示されている。このとき、ユーザによりＭａｉｎボタン４１が押下される。検出部１４は、Ｍａｉｎボタン４１が押下されたことを検出する（ステップＳ１１−ＹＥＳ）。
起動制御部１５は、検出部１４により検出されたＭａｉｎボタン４１の押下に従って、第１状態遷移データベース７１を参照する。第１状態遷移データベース７１を参照した結果、現在の起動情報がＴＶｏｎ、ＰＣｏｎであり、現在の表示情報がＰｉｎＰ（Ｍａｉｎ；ＰＣ、Ｓｕｂ；ＴＶ）であるときに、Ｍａｉｎボタン４１が押下された場合、次の起動情報がＴＶｏｆｆ、ＰＣｏｎ、シャットダウンリクエストであり、次の表示情報がＢｌａｎｋである。このとき、起動制御部１５は、ＴＶ部３１へのＴＶ起動指示の出力を終了し、シャットダウン指示を表示制御部１６に出力する（ステップＳ１２；第１起動処理）。
表示制御部１６は、シャットダウン指示に応じて、シャットダウン画面が表示されるように表示装置２を制御する。ユーザが、操作装置３（キーボード５１、ポインティングデバイス５２）を用いてシャットダウン画面の終了ボタンを押下した場合、起動制御部１５は、ＰＣ部３２へのＰＣ起動指示の出力を終了し、表示制御部１６へのＰＣ表示指示の出力を終了する（ステップＳ１３；第１表示処理）。
【０１２３】
本発明の情報処理装置によれば、上記パターンＡ３１の場合、ユーザがＭａｉｎボタン４１を操作したとき、ＴＶｏｎＰＣ表示データ８３の表示が終了し、ＴＶ部３１とＰＣ部３２との起動が終了する。このように、上記パターンＡ３１の場合、本発明の情報処理装置は、ユーザの簡単な操作により、ＴＶ部３１とＰＣ部３２との起動を終了させることができる。
【０１２４】
図２０は、本発明の第１実施形態に係る情報処理装置の動作である第２状態遷移実行処理を示すフローチャートである。図１１に示されるように、第２状態遷移データベース７２に記載されたパターン（現在の起動情報、現在の表示情報、起動イベント情報、次の起動情報、次の表示情報）としては、パターンＢ１、Ｂ２の２通り挙げられる。図１１と図２０とを用いて第２状態遷移実行処理について説明する。
【０１２５】
（パターンＢ１）
ＴＶ部３１とＰＣ部３２との両方が起動されてない。また、設定データベース７５に記載されたイベント設定情報が起動イベントの実行を表す。この状況は、第２状態遷移データベース７２に記載された現在の起動情報がＴＶｏｆｆ、ＰＣｏｆｆであり、現在の表示情報がＢｌａｎｋであるときに対応する。このときに、ＰＣ部３２を起動させるための起動命令が他の情報処理装置（端末、サーバ）から送信される。検出部１４は、他の情報処理装置（端末、サーバ）から送信された起動命令（起動イベント）を受信／検出する（ステップＳ２１−ＹＥＳ）。
起動制御部１５は、検出部１４により検出された起動イベントに従って、第２状態遷移データベース７２を参照する。第２状態遷移データベース７２を参照した結果、現在の起動情報がＴＶｏｆｆ、ＰＣｏｆｆであり、現在の表示情報がＢｌａｎｋであるときに、起動イベントが発生した場合、次の起動情報がＴＶｏｆｆ、ＰＣｏｎであり、次の表示情報がＰＣである。このとき、起動制御部１５は、ＰＣ起動指示をＰＣ部３２に出力し、ＰＣ表示指示を表示制御部１６に出力する。ＰＣ部３２のＣＰＵ２０は、ＰＣ起動指示に応じて、ＰＣ部３２のＰＣ用プログラム２３を起動する。ＣＰＵ２０は、ＰＣ部３２（ＰＣ用プログラム２３）のＰＣ表示データ８２を表示制御部１６に出力する（ステップＳ２２；第２起動処理）。
表示制御部１６は、ＰＣ表示指示に応じて、ＰＣ部３２（ＣＰＵ２０）からのＰＣ表示データ８２が表示されるように表示装置２を制御する（ステップＳ２３；第２表示処理）。
【０１２６】
本発明の情報処理装置によれば、上記パターンＢ１の場合、起動イベントが発生したとき、自動的にＰＣ表示データ８２を表示装置２に表示させ、ユーザは、ＰＣ表示データ８２を見ながらＰＣ部３２を利用することができる。
【０１２７】
（パターンＢ２）
起動制御部１５は、ＴＶ起動指示をＴＶ部３１に出力し、ＴＶ表示指示を表示制御部１６に出力している。このため、ＴＶ部３１とＰＣ部３２とのうちのＴＶ部３１が起動されていて、ＴＶ表示データ８１が表示装置２に表示されている。また、設定データベース７５に記載されたイベント設定情報が起動イベントの実行を表す。この状況は、第２状態遷移データベース７２に記載された現在の起動情報がＴＶｏｎ、ＰＣｏｆｆであり、現在の表示情報がＴＶ／Ｖｉｄｅｏであるときに対応する。このときに、上記の起動命令が他の情報処理装置（端末、サーバ）から送信される。検出部１４は、他の情報処理装置（端末、サーバ）から送信された起動命令（起動イベント）を受信／検出する（ステップＳ２１−ＹＥＳ）。
起動制御部１５は、検出部１４により検出された起動イベントに従って、第２状態遷移データベース７２を参照する。第２状態遷移データベース７２を参照した結果、現在の起動情報がＴＶｏｎ、ＰＣｏｆｆであり、現在の表示情報がＴＶ／Ｖｉｄｅｏであるときに、起動イベントが発生した場合、次の起動情報がＴＶｏｎ、ＰＣｏｎであり、次の表示情報がＴＶである。このとき、起動制御部１５は、ＰＣ起動指示をＰＣ部３２に出力し、ＴＶ表示指示をＴＶ部３１に出力する。ＰＣ部３２のＣＰＵ２０は、ＰＣ起動指示に応じて、ＰＣ部３２のＰＣ用プログラム２３を起動する。ＣＰＵ２０は、ＰＣ部３２（ＰＣ用プログラム２３）のＰＣ表示データ８２を表示制御部１６に出力する（ステップＳ２２；第２起動処理）。
表示制御部１６は、ＴＶ表示指示に応じて、ＴＶ部３１（デコーダ９）からのＴＶ表示データ８１が表示されるように表示装置２を制御し、ＴＶ部３１（デコーダ９）からのアナログ音声データが音として出力されるようにスピーカ５を制御する（ステップＳ３３；第３表示処理）。
【０１２８】
本発明の情報処理装置によれば、上記パターンＢ２の場合、起動イベントが発生したとき、ユーザがＴＶ部３１を利用しながら、自動的にＰＣ部３２を起動させることができる。
【０１２９】
図２１は、本発明の第１実施形態に係る情報処理装置の動作である第３状態遷移実行処理を示すフローチャートである。図１２に示されるように、第３状態遷移データベース７３に記載されたパターン（現在の起動情報、現在の表示情報、終了イベント情報、次の起動情報、次の表示情報）としては、パターンＣ１〜Ｃ５までの５通り挙げられる。図１２と図２１とを用いて第３状態遷移実行処理について説明する。
【０１３０】
（パターンＣ１）
起動制御部１５は、ＰＣ起動指示をＰＣ部３２に出力し、ＰＣ表示指示を表示制御部１６に出力している。このため、ＴＶ部３１とＰＣ部３２とのうちのＰＣ部３２が起動されていて、ＰＣ表示データ８２が表示装置２に表示されている。また、設定データベース７５に記載されたイベント設定情報が終了イベントの実行を表す。この状況は、第３状態遷移データベース７３に記載された現在の起動情報がＴＶｏｆｆ、ＰＣｏｎであり、現在の表示情報がＰＣであるときに対応する。このとき、ユーザにより操作装置３、リモート端末６の操作部６０が操作されてから所定時間経過するまでに、ユーザにより操作装置３、リモート端末６の操作部６０が操作されていない。検出部１４は、所定時間経過したときに終了命令（終了イベント）を検出する（ステップＳ３１−ＹＥＳ）。
起動制御部１５は、検出部１４により検出された終了イベントに従って、第３状態遷移データベース７３を参照する。第３状態遷移データベース７３を参照した結果、現在の起動情報がＴＶｏｆｆ、ＰＣｏｎであり、現在の表示情報がＰＣであるときに、終了イベントが発生した場合、次の起動情報がＴＶｏｆｆ、ＰＣｏｆｆであり、次の表示情報がＢｌａｎｋである。このとき、起動制御部１５は、ＰＣ部３２へのＰＣ起動指示の出力を終了する（ステップＳ３２；第３起動処理）。その後の処理（ステップＳ３３；第３表示処理）は実行されない。
【０１３１】
本発明の情報処理装置によれば、上記パターンＣ１の場合、終了イベントが発生したとき、自動的に、ＰＣ表示データ８２の表示を終了させ、ＰＣ部３２の起動を終了させることができる。
【０１３２】
（パターンＣ２）
起動制御部１５は、ＴＶ起動指示をＴＶ部３１に出力し、ＰＣ起動指示をＰＣ部３２に出力し、ＴＶ表示指示を表示制御部１６に出力している。このため、ＴＶ部３１とＰＣ部３２とが起動されていて、ＴＶ表示データ８１が表示装置２に表示されている。また、設定データベース７５に記載されたイベント設定情報が終了イベントの実行を表す。この状況は、第３状態遷移データベース７３に記載された現在の起動情報がＴＶｏｎ、ＰＣｏｎであり、現在の表示情報がＴＶ／Ｖｉｄｅｏであるときに対応する。このとき、ユーザにより操作装置３、リモート端末６の操作部６０が操作されてから所定時間経過するまでに、ユーザにより操作装置３、リモート端末６の操作部６０が操作されていない。検出部１４は、所定時間経過したときに終了命令（終了イベント）を検出する（ステップＳ３１−ＹＥＳ）。
起動制御部１５は、検出部１４により検出された終了イベントに従って、第３状態遷移データベース７３を参照する。第３状態遷移データベース７３を参照した結果、現在の起動情報がＴＶｏｎ、ＰＣｏｎであり、現在の表示情報がＴＶ／Ｖｉｄｅｏであるときに、終了イベントが発生した場合、次の起動情報がＴＶｏｎ、ＰＣｏｆｆであり、次の表示情報がＴＶである。このとき、起動制御部１５は、ＰＣ部３２へのＰＣ起動指示の出力を終了し、ＴＶ表示指示を表示制御部１６に出力する（ステップＳ３２；第３起動処理）。
表示制御部１６は、ＴＶ表示指示に応じて、ＴＶ部３１（デコーダ９）からのＴＶ表示データ８１が表示されるように表示装置２を制御し、ＴＶ部３１（デコーダ９）からのアナログ音声データが音として出力されるようにスピーカ５を制御する（ステップＳ３３；第３表示処理）。
【０１３３】
本発明の情報処理装置によれば、上記パターンＣ２の場合、終了イベントが発生したとき、自動的にＰＣ部３２の起動を終了させることができる。
【０１３４】
（パターンＣ３）
起動制御部１５は、ＴＶ起動指示をＴＶ部３１に出力し、ＰＣ起動指示をＰＣ部３２に出力し、ＰＣｏｎＴＶ表示指示を表示制御部１６に出力している。このため、ＴＶ部３１とＰＣ部３２とが起動されていて、ＰＣｏｎＴＶ表示データ８４が表示装置２に表示されている。また、設定データベース７５に記載されたイベント設定情報が終了イベントの実行を表す。この状況は、第３状態遷移データベース７３に記載された現在の起動情報がＴＶｏｎ、ＰＣｏｎであり、現在の表示情報がＰｉｎＰ（Ｍａｉｎ；ＴＶ、Ｓｕｂ；ＰＣ）であるときに対応する。このとき、ユーザにより操作装置３、リモート端末６の操作部６０が操作されてから所定時間経過するまでに、ユーザにより操作装置３、リモート端末６の操作部６０が操作されていない。検出部１４は、所定時間経過したときに終了命令（終了イベント）を検出する（ステップＳ３１−ＹＥＳ）。
起動制御部１５は、検出部１４により検出された終了イベントに従って、第３状態遷移データベース７３を参照する。第３状態遷移データベース７３を参照した結果、現在の起動情報がＴＶｏｎ、ＰＣｏｎであり、現在の表示情報がＰｉｎＰ（Ｍａｉｎ；ＴＶ、Ｓｕｂ；ＰＣ）であるときに、終了イベントが発生した場合、次の起動情報がＴＶｏｎ、ＰＣｏｆｆであり、次の表示情報がＴＶである。このとき、起動制御部１５は、ＰＣ部３２へのＰＣ起動指示の出力を終了し、ＰＣｏｎＴＶ表示指示に代えてＴＶ表示指示を表示制御部１６に出力する（ステップＳ３２；第３起動処理）。
表示制御部１６は、ＴＶ表示指示に応じて、ＴＶ部３１（デコーダ９）からのＴＶ表示データ８１が表示されるように表示装置２を制御し、ＴＶ部３１（デコーダ９）からのアナログ音声データが音として出力されるようにスピーカ５を制御する（ステップＳ３３；第３表示処理）。
【０１３５】
本発明の情報処理装置によれば、上記パターンＣ３の場合、終了イベントが発生したとき、自動的にＰＣ部３２の起動を終了させ、ＰＣｏｎＴＶ表示データ８４からＴＶ表示データ８１に瞬時に切り替えることができる。
【０１３６】
（パターンＣ４）
起動制御部１５は、ＴＶ起動指示をＴＶ部３１に出力し、ＰＣ起動指示をＰＣ部３２に出力し、ＰＣ表示指示を表示制御部１６に出力している。このため、ＴＶ部３１とＰＣ部３２とが起動されていて、ＰＣ表示データ８２が表示装置２に表示されている。また、設定データベース７５に記載されたイベント設定情報が終了イベントの実行を表す。この状況は、第３状態遷移データベース７３に記載された現在の起動情報がＴＶｏｎ、ＰＣｏｎであり、現在の表示情報がＰＣであるときに対応する。このとき、ユーザにより操作装置３、リモート端末６の操作部６０が操作されてから所定時間経過するまでに、ユーザにより操作装置３、リモート端末６の操作部６０が操作されていない。検出部１４は、所定時間経過したときに終了命令（終了イベント）を検出する（ステップＳ３１−ＹＥＳ）。
起動制御部１５は、検出部１４により検出された終了イベントに従って、第３状態遷移データベース７３を参照する。第３状態遷移データベース７３を参照した結果、現在の起動情報がＴＶｏｎ、ＰＣｏｎであり、現在の表示情報がＰＣであるときに、終了イベントが発生した場合、次の起動情報がＴＶｏｎ、ＰＣｏｆｆであり、次の表示情報がＴＶである。このとき、起動制御部１５は、ＰＣ部３２へのＰＣ起動指示の出力を終了し、ＰＣ表示指示に代えてＴＶ表示指示を表示制御部１６に出力する（ステップＳ３２；第３起動処理）。
表示制御部１６は、ＴＶ表示指示に応じて、ＴＶ部３１（デコーダ９）からのＴＶ表示データ８１が表示されるように表示装置２を制御し、ＴＶ部３１（デコーダ９）からのアナログ音声データが音として出力されるようにスピーカ５を制御する（ステップＳ３３；第３表示処理）。
【０１３７】
本発明の情報処理装置によれば、上記パターンＣ４の場合、終了イベントが発生したとき、自動的にＰＣ部３２の起動を終了させ、ＰＣ表示データ８２からＴＶ表示データ８１に瞬時に切り替えることができる。
【０１３８】
（パターンＣ５）
起動制御部１５は、ＴＶ起動指示をＴＶ部３１に出力し、ＰＣ起動指示をＰＣ部３２に出力し、ＴＶｏｎＰＣ表示指示を表示制御部１６に出力している。このため、ＴＶ部３１とＰＣ部３２とが起動されていて、ＴＶｏｎＰＣ表示データ８３が表示装置２に表示されている。また、設定データベース７５に記載されたイベント設定情報が終了イベントの実行を表す。この状況は、第３状態遷移データベース７３に記載された現在の起動情報がＴＶｏｎ、ＰＣｏｎであり、現在の表示情報がＰｉｎＰ（Ｍａｉｎ；ＰＣ、Ｓｕｂ；ＴＶ）であるときに対応する。このとき、ユーザにより操作装置３、リモート端末６の操作部６０が操作されてから所定時間経過するまでに、ユーザにより操作装置３、リモート端末６の操作部６０が操作されていない。検出部１４は、所定時間経過したときに終了命令（終了イベント）を検出する（ステップＳ３１−ＹＥＳ）。
起動制御部１５は、検出部１４により検出された終了イベントに従って、第３状態遷移データベース７３を参照する。第３状態遷移データベース７３を参照した結果、現在の起動情報がＴＶｏｎ、ＰＣｏｎであり、現在の表示情報がＰｉｎＰ（Ｍａｉｎ；ＰＣ、Ｓｕｂ；ＴＶ）であるときに、終了イベントが発生した場合、次の起動情報がＴＶｏｎ、ＰＣｏｆｆであり、次の表示情報がＴＶである。このとき、起動制御部１５は、ＰＣ部３２へのＰＣ起動指示の出力を終了し、ＴＶｏｎＰＣ表示指示に代えてＴＶ表示指示を表示制御部１６に出力する（ステップＳ３２；第３起動処理）。
表示制御部１６は、ＴＶ表示指示に応じて、ＴＶ部３１（デコーダ９）からのＴＶ表示データ８１が表示されるように表示装置２を制御し、ＴＶ部３１（デコーダ９）からのアナログ音声データが音として出力されるようにスピーカ５を制御する（ステップＳ３３；第３表示処理）。
【０１３９】
本発明の情報処理装置によれば、上記パターンＣ５の場合、終了イベントが発生したとき、自動的にＰＣ部３２の起動を終了させ、ＴＶｏｎＰＣ表示データ８３からＴＶ表示データ８１に瞬時に切り替えることができる。
【０１４０】
図２２は、本発明の第１実施形態に係る情報処理装置の動作である第４状態遷移実行処理を示すフローチャートである。図１３に示されるように、第４状態遷移データベース７４に記載されたパターン（現在の起動情報、現在の表示情報、ボタン押下情報、次の起動情報、次の表示情報）としては、パターンＤ１が挙げられる。図１３と図２２とを用いて第４状態遷移実行処理について説明する。
【０１４１】
（パターンＤ１）
ＴＶ部３１とＰＣ部３２との両方が起動されていない。このときに、ユーザによりＰｒｏｇｒａｍボタン４４が押下される。この状況は、第４状態遷移データベース７４に記載された現在の起動情報がＴＶｏｆｆ、ＰＣｏｆｆであり、現在の表示情報がＢｌａｎｋであるときに対応する。検出部１４は、Ｐｒｏｇｒａｍボタン４４が押下されたことを検出する（ステップＳ４１−ＹＥＳ）。
起動制御部１５は、検出部１４により検出されたＰｒｏｇｒａｍボタン４４の押下に従って、第４状態遷移データベース７４を参照する。第４状態遷移データベース７４を参照した結果、現在の起動情報がＴＶｏｆｆ、ＰＣｏｆｆであり、現在の表示情報がＢｌａｎｋであるときに、Ｐｒｏｇｒａｍボタン４４が押下された場合、次の起動情報がＴＶｏｎ、ＰＣｏｎであり、次の表示情報がＰｉｎＰ（Ｍａｉｎ；ＴＶ、Ｓｕｂ；ＰＣ）である。このとき、起動制御部１５は、ＴＶ起動指示をＴＶ部３１に出力し、ＰＣ起動指示をＰＣ部３２に出力し、ＰＣｏｎＴＶ表示指示を表示制御部１６に出力する。ＴＶ部３１のＣＰＵ１０は、ＴＶ起動指示に応じて、ＴＶ部３１のＴＶ用プログラム１３を起動し、ＰＣ部３２のＣＰＵ２０は、ＰＣ起動指示に応じて、ＰＣ部３２のＰＣ用プログラム２３を起動する（ステップＳ４２；第４起動処理）。
表示制御部１６は、ＰＣｏｎＴＶ表示指示に応じて、ＴＶ部３１（デコーダ９）からのＴＶ表示データ８１とＰＣ部３２（ＣＰＵ２０）からのＰＣ表示データ８２とを含むＰＣｏｎＴＶ表示データ８４が表示されるように表示装置２を制御し、ＴＶ部３１（デコーダ９）からのアナログ音声データが音として出力されるようにスピーカ５を制御する（ステップＳ４３；第４表示処理）。
【０１４２】
本発明の情報処理装置によれば、上記パターンＤ１の場合、ユーザがＰｒｏｇｒａｍボタン４５を操作したとき、ユーザがＰｒｏｇｒａｍボタン４５を操作してから、ＰＣ部３２が利用可能になるまで、ＴＶ表示データ８１が表示装置２に表示される。次に、ＴＶ表示データ８１上にＰＣ表示データ８２が表示される。このように、上記パターンＤ１の場合、ユーザは、ＰＣ部３２が利用可能になるまでＴＶ部３１を利用することができるため（例示；テレビの視聴）、イライラすることなく、本発明の情報処理装置を利用することができる。
【０１４３】
（第２実施形態）
本発明の第２実施形態に係る情報処理装置では、表示装置２上に表示されるＴＶｏｎＰＣ表示データ８３の子画面（ＴＶ表示データ８１）の位置を決定することができる。この決定は、製造元又は販売元、ユーザに行われる。また、上述のパターンＡ６、Ａ２５にてＴＶｏｎＰＣ表示データ８３が表示装置２に表示された場合、ユーザの操作により、子画面（ＴＶ表示データ８１）を表示装置２上で移動させることができる。本発明の第２実施形態に係る情報処理装置では、第１実施形態と重複する説明を省略する。
【０１４４】
図２３は、本発明の第２実施形態に係る情報処理装置の表示装置２に表示される設定表示データ９０を示す。
設定表示データ９０は、表示設定画面を含む。設定表示データ９０の表示設定画面は、子画面（ＴＶ表示データ８１）を親画面（ＰＣ表示データ８２）上の所定の位置に表示するための複数の候補位置ボタン９１〜９４を含む。複数の候補位置ボタン９１〜９４のそれぞれは、複数の候補位置のそれぞれに対応する。設定表示データ９０の表示設定画面は、更に、子画面（ＴＶ表示データ８１）のサイズを調整するための表示サイズ選択ボタン部９５と、決定ボタン９７と、キャンセルボタン９８とを含む。表示サイズ選択ボタン部９５は、大きいボタン、標準ボタン、小さいボタンを含む。
設定表示データ９０は、更に、視聴予約画面を含む。設定表示データ９０の視聴予約画面は、ユーザにより予めに時刻を設定するための時刻操作画面（図示しない）と、ユーザにより予めにチャンネルを設定するためのチャンネル操作画面（図示しない）とを含む。ユーザが、操作装置３（又は、リモート端末６の操作部６０）を用いて、時刻操作画面に時刻を設定し、チャンネル操作画面にチャンネルを設定したとき、起動制御部１５は、時刻とチャンネルとを設定データベース７５に書き込む。これにより、上述のパターンＡ６の変形例として、予めに設定された時間が経過したときに、ユーザは、予めに設定したチャンネルでテレビ放送を子画面で視聴することができる。
【０１４５】
図２５は、本発明の第２実施形態に係る情報処理装置の動作である子画面設定処理を示すフローチャートである。
【０１４６】
上述のパターンＡ６、Ａ２５のステップＳ２にて、ユーザによりＰＩＰボタン４４が押下され、起動制御部１５は、ＰＣ起動指示をＰＣ部３２に出力し、ＴＶ起動指示をＴＶ部３１に出力し、ＴＶｏｎＰＣ表示指示を表示制御部１６に出力し、ＴＶｏｎＰＣ表示データ８３が表示装置２に表示される。又は、上述のパターンＡ６の変形例として、予めに設定された時間が経過したときに、起動制御部１５は、ＰＣ起動指示をＰＣ部３２に出力し、ＴＶ起動指示をＴＶ部３１に出力し、ＴＶｏｎＰＣ表示指示を表示制御部１６に出力し、ＴＶｏｎＰＣ表示データ８３が表示装置２に表示される（ステップＳ５１−ＹＥＳ）。
このとき、上述のパターンＡ６、Ａ２５のステップＳ３にて、表示制御部１６は、ＴＶｏｎＰＣ表示指示に応じて、ＴＶｏｎＰＣ表示データ８３と共に操作表示データ１００（図２４参照）を表示装置２に表示する（ステップＳ５２；ＴＶｏｎＰＣ表示設定処理）。操作表示データ１００は、使用頻度の高い機能（ボタン）のみを含み、画面（ＴＶｏｎＰＣ表示データ８３）上で邪魔にならないようなコンパクトサイズで表示装置２に表示される。操作表示データ１００は、使用頻度の高い機能（ボタン）として、リモート端末６の操作部６０の移動スイッチ部６２（移動ボタン６３〜６６）に対応する移動スイッチ部１１２（移動ボタン１１３〜１１６）を含む。操作表示データ１００は、更に、使用頻度の高い機能（ボタン）として、操作スイッチ部５０のＣｈａｎｎｅｌボタン５３、５４、Ｖｏｌｕｍｅボタン５５、５６に対応するＣｈａｎｎｅｌボタン１０３、１０４、Ｖｏｌｕｍｅボタン１０５、１０６を含む。操作表示データ１００は、更に、図示しない設定ボタンを含む。ユーザが、操作装置３（又は、リモート端末６の操作部６０）を用いて、図示しない設定ボタンを押下する。検出部１４は図示しない設定ボタンが押下されたことを検出し、起動制御部１５は、検出部１４により検出された図示しない設定ボタンの押下に従って、設定表示データ９０を表示装置２に表示するための設定表示指示を表示制御部１６に出力する。表示制御部１６は、設定表示指示に応じて、設定表示データ９０が表示されるように表示装置２を制御する（ステップＳ５２；ＴＶｏｎＰＣ表示設定処理）。ＴＶｏｎＰＣ表示設定処理について詳細に説明する。
【０１４７】
ユーザは、操作装置３（又は、リモート端末６の操作部６０）を用いて、設定表示データ９０（表示設定画面）の候補位置ボタン９１〜９４のいずれかを押下することができる。候補位置ボタン９１の押下は、親画面上の所定の位置として複数の候補位置のうち、子画面を親画面の右上候補位置に表示する右上候補位置情報を表す。候補位置ボタン９２の押下は、複数の候補位置のうち、子画面を親画面の左上に表示する左上候補位置情報を表す。候補位置ボタン９３の押下は、複数の候補位置のうち、子画面を親画面の左下に表示する左下候補位置情報を表す。候補位置ボタン９４の押下は、複数の候補位置のうち、子画面を親画面の右下に表示する右下候補位置情報を表す。
【０１４８】
ユーザは、操作装置３（又は、リモート端末６の操作部６０）を用いて、設定表示データ９０（表示設定画面）の表示サイズ選択ボタン部９５（大きいボタン、標準ボタン、小さいボタン）を押下することができる。表示サイズ選択ボタン部９５の標準ボタンの押下は、販売前に予めに製造元又は販売元が用意した３つの子画面のサイズのうちの１つである標準サイズにする標準サイズ情報を表す。表示サイズ選択ボタン部９５の大きいボタンの押下は、上記３つの子画面のサイズのうちの標準サイズ以外の１つである大サイズにする大サイズ情報を表し、大サイズは、標準サイズよりも大きく親画面よりも小さいことを表す。表示サイズ選択ボタン部９５の小さいボタンの押下は、上記３つの子画面のサイズのうちの標準サイズ、大サイズ以外の１つである小サイズにする小サイズ情報を表し、小サイズは、標準サイズよりも小さいことを表す。
【０１４９】
ユーザが、操作装置３（又は、リモート端末６の操作部６０）を用いて、キャンセルボタン９８（又は、操作部６０のキャンセルボタン６９）を押下する。この場合、検出部１４は、キャンセルボタン９８（キャンセルボタン６９）が押下されたことを検出し、起動制御部１５は、検出部１４により検出されたキャンセルボタン９８（キャンセルボタン６９）の押下に従って、設定表示データ９０の表示を終了するための終了設定表示指示を表示制御部１６に出力する。表示制御部１６は、終了設定表示指示に応じて、表示装置２への設定表示データ９０の表示を終了する。
【０１５０】
ユーザが、操作装置３（又は、リモート端末６の操作部６０）を用いて、決定ボタン９７（又は、操作部６０の決定ボタン６８）を押下する。この場合、検出部１４は、決定ボタン９７（決定ボタン６８）が押下されたことを検出し、起動制御部１５は、検出部１４により検出された決定ボタン９７（決定ボタン６８）の押下に従って、子画面の表示位置・移動の実行を表す子画面設定情報を設定データベース７５に書き込む。この子画面設定情報は、候補位置ボタン９１〜９４のいずれかが押下されたことを表す情報（右上候補位置情報、左上候補位置情報、左下候補位置情報、右下候補位置情報）と、表示サイズ選択ボタン部９５が押下されたことを表す情報（標準サイズ情報、大サイズ情報、小サイズ情報）とを含む。同時に、起動制御部１５は、検出部１４により検出された決定ボタン９７（決定ボタン６８）の押下に従って、設定表示データ９０の表示を終了するための終了設定表示指示を表示制御部１６に出力する。表示制御部１６は、終了設定表示指示に応じて、表示装置２への設定表示データ９０の表示を終了する。
【０１５１】
例えば、ユーザは、操作装置３（又は、リモート端末６の操作部６０）を用いて、設定表示データ９０の候補位置ボタン９４と表示サイズ選択ボタン部９５の標準ボタンとを押下する。このとき、ユーザにより、候補位置ボタン９１〜９４のいずれかが押下されたことを表す情報のうちの右下候補位置情報が選択され、表示サイズ選択ボタン部９５が押下されたことを表す情報のうちの標準サイズ情報が選択されたことになる。次に、ユーザは、操作装置３（又は、リモート端末６の操作部６０）を用いて、設定表示データ９０の決定ボタン９７（又は、操作部６０の決定ボタン６８）を押下する。このとき、起動制御部１５は、決定ボタン９７（決定ボタン６８）の押下に従って、右下候補位置情報と標準サイズ情報とを含む子画面設定情報を設定データベース７５に書き込む。
【０１５２】
これにより、本発明の第２実施形態に係る情報処理装置では、表示装置２上に表示されるＴＶｏｎＰＣ表示データ８３の子画面（ＴＶ表示データ８１）の位置を決定することができる。従って、本発明の情報処理装置は、利用性、操作性が向上する。
【０１５３】
図２６は、本発明の第２実施形態に係る情報処理装置の動作である子画面制御処理を示すフローチャートである。
いま、上述のパターンＡ６、Ａ２５のステップＳ２にて、起動制御部１５は、ＰＣ起動指示をＰＣ部３２に出力し、ＴＶ起動指示をＴＶ部３１に出力し、ＴＶｏｎＰＣ表示指示を表示制御部１６に出力している（ステップＳ５３−ＹＥＳ）。
【０１５４】
上述のように、設定データベース７５には、子画面の表示位置・移動の実行を表す子画面設定情報（右下表示情報、標準サイズ情報）が書き込まれている。上述のパターンＡ６、Ａ２５のステップＳ３にて、表示制御部１６は、設定データベース７５を参照して、親画面（ＰＣ表示データ８２）上の右下候補位置に子画面（ＴＶ表示データ８１）を表示する。操作表示データ１００は、ＰＣ表示データ８２上の右下候補位置以外の位置（例示；右下候補位置の下）に表示される（ステップＳ５４；子画面設定表示処理）。
【０１５５】
ＴＶｏｎＰＣ表示データ８３と操作表示データ１００とが表示装置２に表示されているときに、例えば、ユーザが操作装置３（又は、リモート端末６の操作部６０）を用いて、操作表示データ１００の移動ボタン１１５（又は操作部６０の移動ボタン６５）を押下する。この場合、表示制御部１６は、ＰＣ表示データ８２上の右下候補位置に表示されたＴＶ表示データ８１を、ＰＣ表示データ８２上の移動ボタン１１５（移動ボタン６５）の操作に応じた位置に変更する／移動させる（ステップＳ５５；子画面操作処理）。
【０１５６】
ユーザは、表示装置２に表示された親画面（ＰＣ表示データ８２）上でポインティングデバイス（５２）（例示；マウスカーソル）を利用することができる。ポインティングデバイス（５２）は、子画面（ＴＶ表示データ８１）では使用することができない。本発明の情報処理装置によれば、上述のパターンＡ６、Ａ２５にてＴＶｏｎＰＣ表示データ８３が表示装置２に表示された場合、ユーザの操作表示データ１００の移動ボタン１１５（又は操作部６０の移動ボタン６５）の操作により、子画面（ＴＶ表示データ８１）を表示装置２上で移動させることができる。従って、本発明の情報処理装置は、利用性、操作性が向上する。
【０１５７】
以上の説明により、本発明の情報処理装置は、ユーザがイライラすることなく利用することができる。
【０１５８】
本発明の情報処理装置は、第１表示データ（ＴＶ表示データ８１）と第２表示データ（ＰＣ表示データ８２）との少なくとも１つの表示データをユーザが見ることができる。
【０１５９】
本発明の情報処理装置は、第１表示データ（ＴＶ表示データ８１）と第２表示データ（ＰＣ表示データ８２）との一方から第１表示データ（ＴＶ表示データ８１）と第２表示データ（ＰＣ表示データ８２）との他方に瞬時に切り替えることができる。
【０１６０】
本発明の情報処理装置は、利用性、操作性が向上する。
【図面の簡単な説明】
【０１６１】
【図１】図１は、本発明の第１実施形態に係る情報処理装置の構成を示すブロック図である。
【図２】図２は、本発明の第１実施形態に係る情報処理装置の制御装置の構成を示すブロック図である。
【図３】図３は、本発明の第１実施形態に係る情報処理装置の機能ロジックを示す。
【図４】図４は、本発明の第１実施形態に係る情報処理装置の操作装置の構成を示すブロック図である。
【図５】図５は、本発明の第１実施形態に係る情報処理装置の起動スイッチ部の構成を示すブロック図である。
【図６】図６は、本発明の第１実施形態に係る情報処理装置の操作スイッチ部の構成を示すブロック図である。
【図７】図７は、本発明の第１実施形態に係る情報処理装置のリモート端末の構成を示すブロック図である。
【図８】図８は、本発明の第１実施形態に係る情報処理装置のリモート端末の操作部の構成を示すブロック図である。
【図９】図９は、本発明の第１実施形態に係る情報処理装置の制御装置内のデータベースを示す。
【図１０】図１０は、本発明の第１実施形態に係る情報処理装置の制御装置内の第１状態遷移データベースを示す。
【図１１】図１１は、本発明の第１実施形態に係る情報処理装置の制御装置内の第２状態遷移データベースを示す。
【図１２】図１２は、本発明の第１実施形態に係る情報処理装置の制御装置内の第３状態遷移データベースを示す。
【図１３】図１３は、本発明の第１実施形態に係る情報処理装置の制御装置内の第４状態遷移データベースを示す。
【図１４】図１４は、本発明の第１実施形態に係る情報処理装置の制御装置内の設定データベースを示す。
【図１５】図１５は、本発明の第１実施形態に係る情報処理装置の動作である第１状態遷移実行処理を示すフローチャートである。
【図１６】図１６は、本発明の第１実施形態に係る情報処理装置の表示装置に表示されるＴＶ表示データを示す。
【図１７】図１７は、本発明の第１実施形態に係る情報処理装置の表示装置に表示されるＰＣデータを示す。
【図１８】図１８は、本発明の第１実施形態に係る情報処理装置の表示装置に表示されるＴＶｏｎＰＣ表示データを示す。
【図１９】図１９は、本発明の第１実施形態に係る情報処理装置の表示装置に表示されるＰＣｏｎＴＶ表示データを示す。
【図２０】図２０は、本発明の第１実施形態に係る情報処理装置の動作である第２状態遷移実行処理を示すフローチャートである。
【図２１】図２１は、本発明の第１実施形態に係る情報処理装置の動作である第３状態遷移実行処理を示すフローチャートである。
【図２２】図２２は、本発明の第１実施形態に係る情報処理装置の動作である第４状態遷移実行処理を示すフローチャートである。
【図２３】図２３は、本発明の第２実施形態に係る情報処理装置の表示装置に表示される設定表示データを示す。
【図２４】図２４は、本発明の第２実施形態に係る情報処理装置の表示装置に表示されるＴＶｏｎＰＣ表示データと操作表示データとを示す。
【図２５】図２５は、本発明の第２実施形態に係る情報処理装置の動作である子画面設定処理を示すフローチャートである。
【図２６】図２６は、本発明の第２実施形態に係る情報処理装置の動作である子画面制御処理を示すフローチャートである。
【符号の説明】
【０１６２】
１    制御装置
２    表示装置
３    操作装置
４    アンテナ
５    スピーカ
６    リモート端末
７    受信機
８、８’    チューナ
９    デコーダ
１０、１０ａ    ＣＰＵ
１１、１１ａ    メモリ
１２    コンピュータプログラム
１３    ＴＶ用プログラム
１４    検出部
１５    起動制御部
１６    表示制御部
１７    データベース
２０    ＣＰＵ
２１    メモリ
２２    コンピュータプログラム
２３    ＰＣ用プログラム
３１    ＴＶ部
３２    ＰＣ部
４０    起動スイッチ部
４１    Ｍａｉｎボタン
４２    ＰＣボタン
４３    ＴＶボタン
４４    Ｐｒｏｇｒａｍボタン
５０    操作スイッチ部
５１    キーボード
５２    ポインティングデバイス
５３、５４    Ｃｈａｎｎｅｌボタン
５５、５６    Ｖｏｌｕｍｅボタン
６０    操作部
６１    送信部
６２    移動スイッチ部
６３、６４、６５、６６    移動ボタン
６８    決定ボタン
６９    キャンセルボタン
７１    第１状態遷移データベース
７２    第２状態遷移データベース
７３    第３状態遷移データベース
７４    第４状態遷移データベース
７５    設定データベース
８１    ＴＶ表示データ
８２    ＰＣ表示データ
８３    ＴＶｏｎＰＣ表示データ
８４    ＰＣｏｎＴＶ表示データ
９０    設定表示データ
９１、９２、９３、９４    候補位置ボタン
９５    表示サイズ選択ボタン部
９７    決定ボタン
９８    キャンセルボタン
１００    操作表示データ
１０３、１０４    Ｃｈａｎｎｅｌボタン
１０５、１０６    Ｖｏｌｕｍｅボタン
１１２    移動スイッチ部
１１３、１１４、１１５、１１６    移動ボタン
【図１】
2005142687.tif 000003
【図２】
2005142687.tif 000004
【図３】
2005142687.tif 000005
【図４】
2005142687.tif 000006
【図５】
2005142687.tif 000007
【図６】
2005142687.tif 000008
【図７】
2005142687.tif 000009
【図８】
2005142687.tif 000010
【図９】
2005142687.tif 000011
【図１０】
2005142687.tif 000012
【図１１】
2005142687.tif 000013
【図１２】
2005142687.tif 000014
【図１３】
2005142687.tif 000015
【図１４】
2005142687.tif 000016
【図１５】
2005142687.tif 000017
【図１６】
2005142687.tif 000018
【図１７】
2005142687.tif 000019
【図１８】
2005142687.tif 000020
【図１９】
2005142687.tif 000021
【図２０】
2005142687.tif 000022
【図２１】
2005142687.tif 000023
【図２２】
2005142687.tif 000024
【図２３】
2005142687.tif 000025
【図２４】
2005142687.tif 000026
【図２５】
2005142687.tif 000027
【図２６】
2005142687.tif 000028